(57)【要約】【課題】シーン内を分割した区間を代表するサムネイル画像の検索一覧表示におけるスクロールが自動的に行われるようにして、より高い利便性を提供する。【解決手段】一覧画像領域上において設けた第１〜第Ｍの画像配置領域に対して代表画像データを配置する。これらの代表画像データは、Ｎ個得られているもので、そのうちから順序が連続するＭ個の代表画像データを、その順序に従って、第１〜第Ｍの画像配置領域に対して配置表示させる。そのうえで、所定タイミングにより、第１〜第Ｍの画像配置領域のそれぞれに配置して表示されるべき第ｎ番目から第（ｎ＋Ｍ−１）番目の代表画像データについて、昇順又は降順に従ってｍ個の画像配置領域分だけずれる、という変化を生じるようにして代表画像データの表示を行うようにされる。これにより、所定タイミングごとにｍ個分づつ画像配置領域に配置される画像が移動していくように見えるスクロールが自動実行される。【選択図】図１３
2009047721.tif 000002
【特許請求の範囲】
【請求項１】
所定の単位データごとに対応する代表画像としての画像データである、代表画像データを取得する代表画像データ取得手段と、
一覧画像領域上において設定した第１〜第Ｍの画像配置領域に対して、所定規則により第１から第Ｎ番目までの順序を定めたＮ個の上記代表画像データのうち、順序が連続するＭ個の代表画像データを、その順序に従って配置して表示させることとしたうえで、所定タイミングにより、上記第１〜第Ｍの画像配置領域のそれぞれに配置して表示されるべき第ｎ番目から第（ｎ＋Ｍ−１）番目の代表画像データが、昇順又は降順に従ってｍ個の画像配置領域分だけ移動されるように制御を行う、代表画像表示制御手段と、
を備えることを特徴とする表示制御装置。
【請求項２】
上記代表画像表示制御手段は、
上記第１〜第Ｍの画像配置領域のそれぞれに配置して表示されるべき第ｎ番目から第（ｎ＋Ｍ−１）番目の代表画像データについての、昇順又は降順に従ってｍ個分だけ移動された状態に変化がするときの過程が、人には動きがあるものとして知覚されるような所定の表示態様となるようにして制御を行う、
ことを特徴とする請求項１に記載の表示制御装置。
【請求項３】
所定の単位データごとに対応する代表画像としての画像データである、代表画像データを取得する代表画像データ取得手順と、
一覧画像領域上において設定した第１〜第Ｍの画像配置領域に対して、所定規則により第１から第Ｎ番目までの順序を定めたＮ個の上記代表画像データのうち、順序が連続するＭ個の代表画像データを、その順序に従って配置して表示させることとしたうえで、所定タイミングにより、上記第１〜第Ｍの画像配置領域のそれぞれに配置して表示されるべき第ｎ番目から第（ｎ＋Ｍ−１）番目の代表画像データが、昇順又は降順に従ってｍ個の画像配置領域分だけ移動されるように制御を行う、代表画像表示制御手順と、
を実行することを特徴とする表示制御方法。
【請求項４】
所定の単位データごとに対応する代表画像としての画像データである、代表画像データを取得するための制御処理である代表画像データ取得手順と、
一覧画像領域上において設定した第１〜第Ｍの画像配置領域に対して、所定規則により第１から第Ｎ番目までの順序を定めたＮ個の上記代表画像データのうち、順序が連続するＭ個の代表画像データを、その順序に従って配置して表示させることとしたうえで、所定タイミングにより、上記第１〜第Ｍの画像配置領域のそれぞれに配置して表示されるべき第ｎ番目から第（ｎ＋Ｍ−１）番目の代表画像データが、昇順又は降順に従ってｍ個の画像配置領域分だけ移動されるように制御を行う、代表画像表示制御手順と、
を表示制御装置に実行させるプログラム。
【発明の詳細な説明】
【技術分野】
【０００１】
本発明は、表示デバイスの表示画面部位に対して画像を表示出力させるための表示制御を実行する表示制御装置とその方法に関する。また、このような表示制御装置が実行するプログラムに関する。
【背景技術】
【０００２】
例えば記憶媒体に記憶されている動画像コンテンツについての検索一覧表示を行う手法として、タイトル単位若しくはチャプタ単位に相当するサムネイル画像やアイコンを配列表示させることが、広く行われている。また、このような検索一覧表示の画面（検索一覧表示画面）は、サムネイル画像などとして表示されるタイトル、チャプタについての選択変更する操作が可能とされていることが一般的である。また、この選択操作にともなっては、「スクロール」といわれる、サムネイル画像の配列順の昇順、又は降順に従って、検索一覧表示画面上に表示させるサムネイル画像を移動させていく表示が行われる。
例えば、特許文献１には、動画データを所定の時間間隔で分割し、この時間間隔毎の先頭フレームを静止画データとして取り出して複数のサムネイルを生成し、これら複数のサムネイルを画面中の複数の表示窓に一覧表示する動画分割表示装置において、１つのサムネイルが画面中のメイン表示窓に大サイズのメインサムネイルとして表示され、他のサムネイルはメイン表示窓から水平乃至傾斜方向に連続して配列される表示窓小サイズのサムネイルとして時系列的に表示されたうえで、上下方向の所定操作によっては、複数のサムネイルが複数の表示窓間を移動するようにして構成することが記載されている。この「上下方向の所定操作によってサムネイルが複数の表示窓間を移動する」動作がスクロールに相当する。
【０００３】
【特許文献１】特開２００６−２７９２６７号公報
【発明の開示】
【発明が解決しようとする課題】
【０００４】
本願発明は、上記のような検索一覧画像表示におけるスクロールの動作について、利便性であるとか視覚的面白みなどの点で、これまでよりも向上されたものを提供できるようにすることを目的とする。
【課題を解決するための手段】
【０００５】
そこで、本発明は、上記した課題を考慮して、表示制御装置として次のように構成する。
つまり、所定の単位データごとに対応する代表画像としての画像データである、代表画像データを取得する代表画像データ取得手段と、一覧画像領域上において設定した第１〜第Ｍの画像配置領域に対して、所定規則により第１から第Ｎ番目までの順序を定めたＮ個の代表画像データのうち、順序が連続するＭ個の代表画像データを、その順序に従って配置して表示させることとしたうえで、所定タイミングにより、第１〜第Ｍの画像配置領域のそれぞれに配置して表示されるべき第ｎ番目から第（ｎ＋Ｍ−１）番目の代表画像データが、昇順又は降順に従ってｍ個の画像配置領域分だけ移動されるように制御を行う代表画像表示制御手段とを備えることとした。
【０００６】
上記構成によっては、先ず、一覧画像領域上において設けることとした第１〜第Ｍの画像配置領域に対して代表画像データを配置するようにされている。これらの代表画像データはＮ個が得られているもので、そのうちから、順序が連続するＭ個の代表画像データを、その順序に従って、第１〜第Ｍの画像配置領域に対して配置表示させることとしている。
そのうえで、所定タイミングにより、上記のようにして、第１〜第Ｍの画像配置領域のそれぞれに配置して表示されるべき第ｎ番目から第（ｎ＋Ｍ−１）番目の代表画像データについて、昇順又は降順に従ってｍ個の画像配置領域分だけ移動される、という変化を生じるようにして代表画像データの表示を行うようにされる。
つまり、本願発明によっては、所定タイミングごとにｍ個分づつ画像配置領域に配置される画像が移動していくように見える、スクロールといわれる表示動作が、自動的に行われる。
【発明の効果】
【０００７】
このようにして本願発明によっては、一覧画像領域におけるスクロールの動作が自動的に行われるように構成されている。例えばスクロールの操作は、本願発明における単位データから成る、さらに括りの大きな単位のデータ・情報の内容を、より全体的に把握したいと思うときに行うものである。本願発明によっては、スクロールが自動的に行われることにより、特に操作を行わなくとも、ユーザは、括りの大きな単位のデータ・情報についての全体内容を把握することができる。このようにして、本願発明は、１つには、スクロールのための操作が省かれるようにしてユーザに利便性を提供する。また、自動的なスクロール表示は、一覧画像において動きを与えることになるものであり、ユーザにとっては視覚的な面白みも得ることができるものであり、娯楽性も高められることになる。
【発明を実施するための最良の形態】
【０００８】
図１は、本願発明を実施するための最良の形態（以下、実施の形態という）としての装置である、ビデオカメラ装置１の構成例を示すブロック図である。
この図において、先ず、光学系部１１は、レンズ光学系、フォーカス機構、ズーム機構、絞り(アイリス)機構などを備えて成り、入射された光を撮像光として撮像部１２が備えるものとされる撮像素子(光電変換素子)の受光面に結像させる。
また、ここでの光学系部１１におけるフォーカス機構、ズーム機構、絞り機構の駆動は、マイクロプロセッサ１７による制御に応じて、カメラ制御部１３が上記各機構に駆動信号を出力するによって行われるものとしている。
【０００９】
撮像部１２は、例えばＣＭＯＳセンサ、ＣＣＤ(Charge Coupled Device)などの撮像素子を備えて成り、上記のようにして受光面にて受光した撮像光についての光電変換を行う。そして、受光面にて受光された撮像光に応じて蓄積された電荷を、例えば、マイクロプロセッサ１７の制御に応じてカメラ制御部１３から出力されるタイミング信号に応じた、しかるべきタイミングで順次出力するようにされる。これにより、所定の画素数サイズによる撮像画像に対応した電気信号を出力する。このようにして出力された信号は、カメラ信号処理部１４に対して入力される。
【００１０】
カメラ信号処理部１４では、上記のようにして撮像部１２から入力される電気信号について、例えばＣＤＳ(Correlated Double Sampling)処理、ＡＧＣ(Automatic Gain Control)処理などの波形成形を行ったうえでデジタル信号に変換し、記録再生処理回路１５に出力する。
【００１１】
記録再生処理回路１５では、カメラ信号処理部１４から出力されたデジタル信号を入力して、記録信号処理を実行する。例えば所定方式による圧縮符号化をはじめとして、所定の動画像記録フォーマットに対応した記録用ビデオ信号データを生成するようにされる。そして、このようにして生成されるビデオ信号データをＨＤＤ１６に書き込んで記録する。この結果、ＨＤＤ１６には、撮像により得られたビデオコンテンツのデータが記憶保存されるようにして管理されることになる。また、撮像装置による撮影記録の開始から終了までの間に得られた動画像は、シーン（あるいはカット、ショット）などともいわれるが、上記のようにしてＨＤＤ１６に記録されるビデオコンテンツとしても、このシーン単位により管理される。即ち、原則としては、シーン単位のビデオコンテンツのデータが所定形式の動画像ファイルとしてファイルシステムにより管理される。ただし、１シーンの記録時間が非常に長尺になって、１動画ファイルとして許容される最大データ量、若しくは最大時間を越えた場合には、複数の動画像ファイルに分割して、これら複数の動画像ファイルを１シーン相当のビデオコンテンツとして管理するようにされる。
【００１２】
また、記録再生処理回路１５は、撮影記録モード時においては表示部２０に対してスルー画を表示させるための処理も実行するようにされる。スルー画とは、そのときに光学系部１１により撮像しているとされる画像のことをいうもので、ユーザは、表示部２０に表示されるスルー画を見ることで撮影されている画内容を確認することができる。このスルー画表示のためには、記録再生処理回路１５は、カメラ信号処理部１４から入力したデジタル信号を利用して、表示部２０による画像表示に適合した解像などを有するスルー画用のビデオ信号を生成し、このスルー画用ビデオ信号を重畳処理部１９を介して表示部２０に対して出力する。
【００１３】
また、記録再生処理回路１５は、ＨＤＤ１６に記憶保存されたビデオコンテンツのデータを読み出して、記録信号処理に対応した復号処理などを実行して動画像としてのビデオ信号を再生することも可能とされる。このようにして再生されたビデオ信号は、例えばマイクロプロセッサ１７の制御に応じて、重畳処理部１９を介して表示部２０に対して出力することで、この表示部２０にて画像として表示させることができるようになっている。
なお、実際のビデオコンテンツとしては、ビデオ信号とともに、少なくとも、このビデオ信号とリップシンクするようにして再生されるべきオーディオ信号も含む構造を有するものであるが、ここでは、説明を簡単なものとすることの便宜上、このオーディオ信号についての記録再生処理についての構成の図示及び説明は省略する。
【００１４】
マイクロプロセッサ１７は、例えばＣＰＵ、ＲＯＭ、ＲＡＭなどを有して構成されるもので、例えば内部のＲＯＭに記憶されるプログラムを実行することにより、ビデオカメラ装置１における各種の制御を実行する。これにより、ビデオカメラ装置１としての各種の動作が得られることとなる。
【００１５】
ＯＳＤ(On Screen Display)処理部１８及び重畳処理部１９は、表示部２０に対して、そのときのビデオカメラ装置１の動作に応じた各種のＧＵＩ(Graphical User Interface)としての画像を表示させるために備えられる。
ＧＵＩ画像を表示させるべきとき、マイクロプロセッサ１７は、ＯＳＤ(On Screen Display)処理部１８により、そのＧＵＩ画像としての画内容を有する表示用ビデオ信号（表示用画像データ）を生成させ、この表示用ビデオ信号を重畳処理部１９に対して出力させる。重畳処理部１９では、ＯＳＤ処理部１８から出力される表示用ビデオ信号を表示部２０に出力するが、この際、そのＧＵＩ画像が、例えばスルー画や再生画像上に重畳させるべきものである場合には、記録再生処理回路１５から入力されてくるスルー画や再生画像などのビデオ信号に、ＧＵＩ画像の表示用ビデオ信号を重畳、合成し、この合成後のビデオ信号を表示部２０に出力するようにされる。
【００１６】
操作部２１は、ビデオカメラ装置１本体に備えられるハードウェアキー、ボタンなどの各種操作子と、この操作子に対する操作に応じた操作信号をマイクロプロセッサ１７に出力する操作信号出力部位を一括して示しているものとされる。例えば、この操作部２１における操作子としては、写真撮影時に操作されるシャッターボタン、撮影モードなどを選択する操作子、パラメータのアップ／ダウンを行うための操作子などが含まれる。また、特にこの図においては、操作部２１を成す操作子として、ホームキー２１ａ、及びフィルムロールキー２１ｂが示されている。ホームキー２１ａを操作することによっては、ホームメニューといわれる大元のメニュー画面としてのＧＵＩ画像を表示部２０に表示させることができる。また、フィルムロールキー２１ｂを操作することによっては、後述するフィルムロールインデックス画面としてのＧＵＩ画像を表示部２０に表示させることができる。
【００１７】
また、本実施の形態のビデオカメラ装置１では、上記操作部２１としてのキー、ボタンのほかに、操作入力部として、タッチパネル２１Ａを備える。このタッチパネル２１Ａは、実際においては、表示部２０の表示画面と一体化される態様で設けられる。即ち、本実施の形態のビデオカメラ装置１では、ＧＵＩ画像が表示された表示部２０の画面上に対して直接指を触れるなどの操作が可能なＧＵＩを提供するものである。なお、ＧＵＩの内容によっては、表示部２０に表示されるＧＵＩ画像に対する操作が、操作部２１における所定のキー、ボタンに対する操作により行われるようにされてもよいものである。
【００１８】
上記の構成から分かるように、ビデオカメラ装置１では、ＨＤＤ１６に対して、撮像記録により得たビデオコンテンツを記憶保存させることが可能とされている。ここでＨＤＤは、ランダムアクセスが可能なもののうち、現状においてはＧＢ（ギガバイト）クラスの大容量を技術的、コスト的に容易に実現できる記憶媒体の１つであり、従って、圧縮符号化データを主体とするビデオコンテンツデータとしても多数、長時間のものを記憶保存することが可能となる。
このようにして多数若しくは長時間のビデオコンテンツが記憶可能であることを考慮すると、ビデオカメラの機能として、記憶保存されたビデオコンテンツに関する一覧表示機能を与えて、その検索性が高められるようにすることが、ユーザにとっての利便性向上などを求めた場合には好ましくなってくる。そこで、本実施の形態のビデオカメラ装置１も、ＧＵＩの一機能として、このようなビデオコンテンツに関しての一覧・検索表示機能を実装するものである。つまり、ビデオカメラ装置１は、表示部２０の表示画面上に対して、ＨＤＤ１６に記憶保存されたビデオコンテンツを対象として、一覧・検索を行うことのできるＧＵＩ画像を表示するものである。また、ランダムアクセスが可能な記憶媒体に対応しては、このような一覧・検索画像上でのコンテンツの再生操作を行えるようにされたものが一般的であるが、本実施の形態としても、一覧・検索画面上でのコンテンツの再生操作が可能なようにされる。
【００１９】
図２により、本実施の形態のビデオカメラ装置１における一覧・検索画面の表示に関連した操作態様例について説明する。
ここで、例えば本実施の形態のビデオカメラ装置１が撮影待機モードにあるとする。撮影待機モード下では、ビデオカメラ装置１は、図２（ａ）に示すようにして、表示部２０の表示画面部２０Ａ上にて、そのときに光学系部１１により撮影しているとされる画像であるいわゆるスルー画を表示させる動作を実行しながら、撮影記録開始操作を待機している状態にある。そして、例えばこの状態の下で撮影記録の開始を指示する操作（撮影開始操作）が行われたとすれば、その操作タイミング以降において撮影記録が開始される。この撮影記録は、撮影記録の終了を指示する撮影終了操作が行われるまで実行される。なお、確認のために述べておくと、前述もしたように、本実施の形態のＨＤＤ１６に記憶保存される１単位のビデオコンテンツは、原則、上記の撮影開始操作から撮影終了操作までに対応する撮影記録により得られる動画像データ（ファイル）の単位に相当するものであって、この単位は、映像内容としては、シーン、カット、ショットなどともいわれるものとなる。なお、本実施の形態では、この単位名称については、以降、「シーン」で統一する。
【００２０】
ここで、本実施の形態のビデオカメラ装置１により表示するスルー画の画像内においては、図２（ａ）に示されているようにして、画面内ホームボタンＢｔ１が表示されるようになっている。なお、この場合には画面内ホームボタンＢｔ１の画像を、表示画面部２０Ａにおける左上に位置させているが、他の位置において表示させるようにして構わない。
上記のホームボタンＢｔ１は、ホームメニューの画面に移行させる操作を行うためのボタンとして機能する。ユーザが、タッチパネル２１Ａに対する操作として、このスルー画面上におけるホームボタンＢｔ１の表示位置に触れる操作を行ったとされると、図２（ａ）から図２（ｂ）への遷移として示すようにして、表示画面部２０Ａは、これまでのスルー画表示から、ホームメニューの画面表示に移行することになる。
【００２１】
また、先に図１にて説明したように、本実施の形態のビデオカメラ装置１の本体には、ハードウェアの操作子の１つとして、ホームキー（ハードウェア・ホームキー）２１ａが設けられている。このホームキー２１ａを操作することによっても、同じく、図２（ａ）から図２（ｂ）への遷移として示すようにして、表示画面部２０Ａは、これまでのスルー画表示から、ホームメニュー画面の表示に移行することができる。
【００２２】
図２（ｂ）に示されるホームメニュー画面は、タッチパネル操作が可能とされるＧＵＩとしてのメニュー画面のうちで、その大元となるものである。従って、このホームメニュー画面から操作を始めてしかるべきメニュー画面へと辿っていくようにすることで、ユーザは、ビデオカメラ装置１についての各種多様な操作を行うことが可能とされる。
【００２３】
ここでは、図２（ｂ）のホームメニュー画面において、ボタン画像として、先ず、クローズボタンＢｔ２が表示されている。
このクローズボタンＢｔ２に対するタッチパネル上での押し操作（タッチパネル押操作）を行った場合には、現在表示中のホームメニュー画面が閉じられて、今回のホームメニュー画面の表示前に表示されていた画面に戻るようにされる。この場合には、図２（ｂ）から図２（ａ）への遷移として示すように、撮影待機モード下でのスルー画表示に切り換わる。
【００２４】
また、ホームメニュー画面においては、さらに、通常インデックスボタンＢｔ１１、フィルムロールインデックスボタンＢｔ１２、プレイリストボタンＢｔ１３が表示されている。
通常インデックスボタンＢｔ１１に対するタッチパネル押操作を行った場合には、ここでは図示していないが、表示画面部２０Ａにおいて、この図２（ｂ）のホームメニュー画面から、通常インデックス画像の表示に移行する。また、フィルムロールインデックスボタンＢｔ１２に対するタッチパネル押操作を行った場合には、図２（ｂ）から図２（ｃ）への遷移へと示すようにして、フィルムロールインデックス画面の表示に移行する。
また、本実施の形態では、ビデオカメラ装置１の本体に対して、ハードウェアキーのひとつであるフィルムロールキー２１ｂが設けられている。本実施の形態では、フィルムロールインデックス画面以外の他の何らかの表示を行っている状態の下で、このフィルムロールキー２１ｂを操作することによっても、フィルムロールインデックス画面への表示の切り換えが行われるようになっている。図２においては、フィルムロールキー２１ｂの操作に応じて、図２（ａ）のスルー画、図２（ｂ）のホームメニュー画面、あるいは図２（ｄ）のシーン再生画面からフィルムロールインデックス画面に移行できることを示している。これにより、後述するようにして本実施の形態において特徴となるフィルムロールインデックス画面への表示切り換えを、例えばタッチパネル操作により行うような場合よりも、直接的に、迅速に行える。
また、プレイリストボタンＢｔ１３に対する操作を行った場合には、ここでは図示していないが、表示画面部２０Ａにおいて、プレイリスト画面に表示が切り換わることになる。プレイリスト画面は、例えばＨＤＤ１６に記憶されているビデオコンテンツについての、ユーザが作成したプレイリストを提示する画面とされる。
【００２５】
上記の説明において挙げられた「通常インデックス画面」と「フィルムロールインデックス画面」は、本実施の形態のビデオカメラ装置１において表示可能なビデオコンテンツの一覧・検索画面とされる。
先ず「通常インデックス画面」は、その表示態様例についての図示は省略するが、ＨＤＤ１６に記憶保存されているビデオコンテンツ（動画像ファイル）について、これらをビデオコンテンツ単位主体で提示するようにされた表示態様の一覧・検索画面をいう。この「通常インデックス画面」では、１つのビデオコンテンツ（シーン）につき１つのサムネイル画像が対応するようにされ、これらのサムネイル画像が、予め設定されたソート順に従って配列表示される。つまり、シーンのリストを、シーンごとに対応したサムネイル画像により示すようにされる。そして、例えば、ユーザが通常インデックス画面に表示されているサムネイル画像のうちから、或る１つのものを選択決定するための所定操作を行ったとされると、ビデオカメラ装置１は、この選択決定されたサムネイル画像が対応するビデオコンテンツの再生を開始するようにされる。
【００２６】
これに対して、図２（ｃ）に示される「フィルムロールインデックス画面」は、詳細については後述するが、ＨＤＤ１６に記憶保存されているビデオコンテンツのうちから選択した１つのビデオコンテンツについて、そのシーンとしての内容を、再生時間経過に応じて或る時間タイミングから抜き出すようにして抽出した画像内容を持つサムネイル画像の配列によって示すようにされる。フィルムロールインデックス画面における「フィルムロール」との名称は、１つのシーンを１つのフィルムロールと捉えたうえで、上記のサムネイル画像の表示態様が、あたかも、このフィルムロールを拡げてコマの内容を見ている様子と重なることに由来する。
そして、このフィルムロールインデックス画面において表示されているサムネイル画像のうちから、或る１つのものを選択決定するための所定操作を行ったとされると、ビデオカメラ装置１は、この選択決定されたサムネイル画像が対応する再生時間から、そのビデオコンテンツの再生を開始する。つまり、１つのビデオコンテンツにおける中途位置からの再生を開始させることができる。
【００２７】
上記したことによれば、上記「通常インデックス画面」、「フィルムロールインデックス画面」としての一覧・検索画面において配列されるサムネイル画像（代表画像）は、前者にあっては、ＨＤＤ１６に記録されるビデオコンテンツの単位に対応した索引、見出しであると捉えることができ、後者にあっては、１ビデオコンテンツ（１シーン）としての開始時間から終了時間までの間において設定した再生時間位置ごとに対応した索引、見出しであると捉えることができる。上記２つの一覧・検索画面の名称全体における「インデックス画面」との名称部分は、索引、見出しを提示する画面であるということに由来したものである。また、以降においては、インデックス画面上において、個々の索引、見出しとして機能するサムネイル画像（代表画像）については、インデックス画像ともいうことにする。
【００２８】
次に、図３を参照して、表示画面部２０Ａにおいて表示されるフィルムロールインデックス画面の表示態様例と、その機能動作例について説明しておくこととする。この図３に示されるフィルムロールインデックス画面は、例えば図２（ｃ）に示される内容を拡大したものとされる。
先ず、このフィルムロールインデックス画面内の領域は、大きくは、シーン単位インデックス領域ＡＲ１、シーン内インデックス領域ＡＲ２から成るものとされる。
シーン単位インデックス領域ＡＲ１においては、ＨＤＤ１６に記憶保存されているビデオコンテンツ（シーン）単位に対応したインデックス画像（サムネイル画像：静止画）であるシーン単位インデックス画像が、縦方向に沿って、所定のソート順に従って配列されるようにして表示される。この場合には、シーン単位インデックス領域ＡＲ１においては、３つのシーン単位インデックス画像（Ｐ１、Ｐ２、Ｐ３）が表示されることとなっており、そのうえで、中央に位置させたシーン単位インデックス画像Ｐ２が、選択中にあるシーン（ビデオコンテンツ）を示しているものとされる。選択すべき（中央に位置させるべき）シーン単位インデックス画像、即ちビデオコンテンツ（シーン）を他のものに変更するときには、送りボタンＢｔ３１と戻しボタンＢｔ３２に対して適宜タッチパネル押操作を行うようにされる。この送りボタンＢｔ３１、戻しボタンＢｔ３２に対する操作ごとに、シーン単位インデックス画像が１つずつ、順次、上方向あるいは下方向にスクロールされ、これに応じて、中央に位置するシーン単位インデックス画像が切り換わっていく。また、シーン単位インデックス領域ＡＲ１においては、シーン単位インデックス画像が配列される領域の左側に沿ってスクロールバーＢｒ１が表示される。このスクロールバーＢｒ１におけるノブの位置により、現在、シーン単位インデックス領域ＡＲ１において表示されているシーン単位インデックス画像が、全体においてどのあたりの順序にあるものなのかが示される。また、ノブに対するタッチパネル上でのドラッグ操作をスクロールバーＢｒ１に沿って行うことで、送りボタンＢｔ３１、戻しボタンＢｔ３２を操作する場合よりも、大きな単位移動量でもってシーン単位インデックス画像をスクロールさせることができる。
【００２９】
次に、シーン内インデックス領域ＡＲ２においては、上記シーン単位インデックス領域ＡＲ１において選択されているシーン（選択シーン）、即ち、シーン単位インデックス領域ＡＲ１において中央に配置されるシーン単位インデックス画像Ｐ２が対応するシーン（ビデオコンテンツ）についての、その内容が下記のようにして表示される。
この場合のシーン内インデックス領域ＡＲ２においては、シーン内インデックス領域ＡＲ２を３つの行領域clm1、clm2、clm3に分割するようにしたうえで、先ず、行領域clm1において左から右にかけて順に、インデックス画像貼付領域Ｆ１、Ｆ２、Ｆ３を配置することとし、次の行領域clm2において左から右にかけて順に、インデックス画像貼付領域Ｆ４、Ｆ５、Ｆ６、Ｆ７を配置し、さらに次の行領域clm3において左から右にかけて順に、インデックス画像貼付領域Ｆ８、Ｆ９、Ｆ１０を配置することとしている。これらインデックス画像貼付領域Ｆ１〜Ｆ１０（第１〜第Ｍ画像配置領域）は、それぞれ、シーン内インデックス画像が貼り付けられるようにして表示される領域とされる。そして、インデックス画像貼付領域Ｆ１〜Ｆ１０の配列順は、選択シーンの再生時間進行（再生時間経過：時系列）に対応したものとなっている。
この場合、インデックス画像貼付領域Ｆ１〜Ｆ１０には、それぞれ、シーン内インデックス画像Ｐ１０１〜Ｐ１１０が貼り付けられて表示されている。これらのシーン内インデックス画像Ｐ１０１〜Ｐ１１０は、選択シーンの再生時間進行に従って、所定の時間間隔ごとに対応して表示されることとなる画像内容を、その選択シーンから抽出するようにして生成したサムネイル画像である。そして、インデックス画像貼付領域Ｆ１〜Ｆ１０が上記のようにして選択シーンの再生時間進行に対応していることにより、シーン内インデックス画像Ｐ１０１〜Ｐ１１０の順で、選択シーンの再生時間進行に沿うこととなる。
なお、以降においては、インデックス画像貼付領域Ｆ１〜Ｆ１０について、その配列順に従って、第１インデックス画像貼付領域Ｆ１〜第１０インデックス画像貼付領域Ｆ１０ともいうことにする。
【００３０】
また、行領域clm1における第１インデックス画像貼付領域Ｆ１の左側には、送りボタンＢｔ４１が配置され、行領域clm3における第１０インデックス画像貼付領域Ｆ１０の右側には、戻しボタンＢｔ４２が配置されている。シーンの時間長にもよるがシーン内インデックス領域ＡＲ２において表示されるインデックス画像は、通常、そのシーンにて得られるシーン内インデックス画像のうちの一部の再生区間に対応して得られるものが表示されている。これら送りボタンＢｔ４１、戻しボタンＢｔ４２に対してタッチパネル押操作を行うことで、シーン再生時間を先へ進める、あるいは遡るようにして、インデックス画像貼付領域Ｆ１〜Ｆ１０のそれぞれに貼付表示されるシーン内インデックス画像を１つずつ送る、あるいは戻していくという態様でのスクロールを行うことができる。また、本実施の形態においては、このスクロールとしての表示動作が自動的に行われるようにして構成されるのであるが、この点については後述する。
【００３１】
また、シーン内インデックス領域ＡＲ２の下側においては、横方向に延びるスクロールバーＢｒ２が配置されている。このスクロールバーＢｒ２におけるノブＮＢは、先ず、スクロールバーＢｒ２全体におけるその位置により、シーン内インデックス領域ＡＲ２にて表示されている１０個のシーン内インデックス画像が対応するシーン内区間が、そのシーンにおけるどのあたりであるのかを示す。スクロールバーＢｒ２の最も左においてノブＮＢが位置していれば、そのときに表示されているシーン内インデックス画像が対応するシーン内区間は、シーン冒頭であることになり、スクロールバーＢｒ２の最も右においてノブＮＢが位置していれば、そのときに表示されているシーン内インデックス画像が対応するシーン内区間は、シーンの最後の部分であることになる。
また、ノブＮＢの長さにより、シーン全体の再生時間において、シーン内インデックス領域ＡＲ２にて表示されている１０個のシーン内インデックス画像が対応するシーン内区間の再生時間長が占める割合を示す。
また、このスクロールバーＢｒ２のノブをドラッグ操作することにより、送りボタンＢｔ３１、戻しボタンＢｔ３２を操作する場合よりも、大きな単位移動量でもってインデックス画像貼付領域Ｆ１〜Ｆ１０に貼付表示されるシーン内インデックス画像を送り・戻し（スクロール）させることができる。
【００３２】
上記の説明から理解されるようにして、シーン内インデックス領域ＡＲ２においては、選択シーン内の或る場面に対応する画内容を持つシーン内インデックス画像が、シーン内容の時系列に沿うようにして配列表示される。この表示を見ることで、ユーザは、選択シーンの中の画像内容を容易に把握することが可能になる。なお、このシーン内インデックス画像としては動画あるいは静止画のいずれでもよいこととされるが、本実施の形態では、これ以降、静止画であることを前提にして説明を続ける。
【００３３】
また、フィルムロールインデックス画面においては、クローズボタンＢｔ２と、関連機能ボタンＢｔ３が配置されている。
クローズボタンＢｔ２をタッチパネル押操作することによっては、これまでのフィルムロールインデックス画面の表示を消去して、フィルムロールインデックス画面の表示前の状態に戻すようにされる。例えば、ホームメニュー画面から今回のフィルムロールインデックス画面の表示に切り換わったのであれば、ホームメニュー画面に戻ることになる。
関連機能ボタンＢｔ３は、そのときに表示されている画面に関連した設定項目、メニュー画面などにジャンプさせるための操作を行うボタンである。フィルムロールインデックス画面が表示されている下で関連機能ボタンＢｔ３を操作した場合には、例えば、図７、図９により後述するようにして、フィルムロールインデックス画面に関連した所定項目についての設定を行うための操作画面（関連メニュー画面）に移行することになる。
【００３４】
そして、例えばユーザが、シーン内インデックス領域ＡＲ２に表示されているシーン内インデックス画像の１つに対するタッチパネル押操作（選択決定操作）を行ったとされると、ビデオカメラ装置１は、選択シーンについて、今回の選択決定操作により指定されたシーン内インデックス画像が対応する再生時間からの中途再生を開始するようにされる。これに伴って、表示画面部２０Ａにおいては、図２（ｃ）から図２（ｄ）への遷移として示すようにして、選択シーンを再生表示する画内容のシーン再生画面に切り換わることになる。また、確認のために述べておくと、図２（ｄ）の再生画面に切り換わったときには、今回の選択決定操作により指定されたシーン内インデックス画像と同じ内容の画からの再生表示が始まるものである。
【００３５】
図２（ｄ）に示されるシーン再生画面上には、ソフトウェアボタンとして、戻るボタンＢｔ１４、シーン単位送りボタンＢｔ２５、シーン単位戻しボタンＢｔ２６、再生開始／一時停止ボタンＢｔ２１、停止ボタンＢｔ２２、早送りボタンＢｔ２３、早戻しボタンＢｔ２４、関連機能ボタンＢｔ３が表示されている。ユーザは、シーン単位送りボタンＢｔ２５、シーン単位戻しボタンＢｔ２６、再生開始／一時停止ボタンＢｔ２１、停止ボタンＢｔ２２、早送りボタンＢｔ２３、早戻しボタンＢｔ２４に対するタッチパネル押操作により、シーン（ビデオコンテンツ）について、ユーザの意図するようにして再生を行わせることができる。
また、戻るボタンＢｔ１４を操作すれば、今回のシーン再生画面の表示に移行する前に表示されていた画面に戻るようにされる。先の説明のようにして、図２（ｃ）のフィルムロールインデックス画面からシーン再生画面に切り換わったのであれば、フィルムロールインデックス画面に戻るようにされる。
また、シーン再生画面上に配置表示されている関連機能ボタンＢｔ３に対する操作を行った場合、図示は省略するが、シーン再生に関連した所定の設定項目、メニューなどが表示された操作画面に移行するようにされる。
【００３６】
上記のようにして、本実施の形態のビデオカメラ装置１は、表示画面部２０Ａに対して、スルー画、メニュー画面、シーン再生画面などのほか、インデックス画面として、フィルムロールインデックス画面の表示が行えるようにされている。
このフィルムロールインデックス画面においては、先に図３により説明したように、第１〜第１０インデックス画像貼付領域Ｆ１〜Ｆ１０に対して、選択シーンから抽出したとされるシーン内インデックス画像が、時系列に沿うようにして貼付表示される。本実施の形態におけるシーン内インデックス画像は、選択シーンにおける或る再生時間から抜き出した（抽出した）静止画像とされる。そこで、静止画像としてのシーン内インデックス画像を、選択シーンから抜き出す時間タイミングをどのようにして決定しているのかについて、その一例を、図４を参照して説明しておくこととする。
【００３７】
先ず図４（ａ）には、選択シーンとしての動画像のストリームデータ（ビデオストリーム）を再生時間経過に沿ったバー形状により模式的に示している。このビデオストリームとしてのバーの左端が、選択シーンとしてのビデオコンテンツの再生開始時間であり、以降、右方向に延びていくのに従い再生時間が経過していくことが表現される。
図４（ｂ）には、図３において、第１〜第１０インデックス画像貼付領域Ｆ１〜Ｆ１０に表示されるシーン内インデックス画像Ｐ１０１〜Ｐ１１０を、ビデオストリームから抜き出したとされる再生時間タイミングとの対応により示している。
【００３８】
この場合においては、先ず、選択シーンの再生開始時間において、ビデオストリームの先頭フレームに相当する静止画内容を抽出し、これを、一番目のシーン内インデックス画像Ｐ１０１として生成している。なお、ここでは、シーン単位インデックス領域ＡＲ１に配置されるシーン単位インデックス画像についても、対応するシーンのビデオストリームの先頭フレーム画像から生成するものとしており、図４（ｂ）においては、再生開始時間において、シーン内インデックス画像Ｐ１０１とともに、シーン単位インデックス画像Ｐ２も生成していることが示されている。
【００３９】
そして、本実施の形態としては、予め抽出時間間隔Ｔｍを設定しておくようにされる。これにより、シーン内インデックス画像Ｐ１０１に続く２番目のシーン内インデックス画像Ｐ１０２を抜き出すべき再生時間（抽出再生時間）は、図示するようにして、シーンの再生開始時間から抽出時間間隔Ｔｍが経過した時点となる。以降、同様にして、抽出時間間隔Ｔｍが経過する時点ごとが、シーン内インデックス画像Ｐ１０３〜Ｐ１１０を抽出すべき再生時間として決定される。なお、図においては、図面のサイズの都合上、シーン内インデックス画像Ｐ１０７までが示されている。
また、図４（ａ）（ｂ）により説明したシーン内インデックス画像を抽出すべき再生時間（抽出再生時間）の決定の仕方は、最も順当で簡易な例を挙げているものであり、これ以外の規則による抽出再生時間の決定が行われてもよいものである。
【００４０】
上記のようにしてシーン内インデックス画像の抽出再生時間を決定するものとした場合、シーン内インデックス画像Ｐ１０１、Ｐ１０２のそれぞれは、選択シーンのビデオストリームを抽出時間間隔Ｔｍごとに分割して得られるビデオストリームの区間部分である、シーン内分割区間Is1、Is2・・・における先頭の画像内容を示しているということがいえる。即ち、シーン内インデックス画像は、シーン内分割区間に対応する代表画像である、ということになる。
【００４１】
先に図３により説明したように、本実施の形態のフィルムロールインデックス画面が表示された状態では、送りボタンＢｔ４１、戻しボタンＢｔ４２、あるいはスクロールバーＢｒ２におけるノブＮＢを操作することにより、シーン内インデックス領域ＡＲ２に配列表示されるシーン内インデックス画像をスクロールさせることが可能とされている。
本実施の形態のビデオカメラ装置１は、シーン内インデックス画像について、上記のようにしてユーザ操作に応じてスクロールさせることも可能とされるのであるが、自動的にスクロールさせる表示動作（自動スクロール）を実行することが可能なように構成される。
本実施の形態にあって、この自動スクロールの動作は、フィルムロールインデックス画面の表示の開始とともに行われるものとする。
【００４２】
本実施の形態の自動スクロールによるシーン内インデックス領域ＡＲ２の表示態様の遷移例を、図５により説明する。
なお、本実施の形態による自動スクロールとして、スクロールに伴うシーン内インデックス領域ＡＲ２の表示変化の態様例としては、３例を挙げることとするが、ここでは先ず、第１例としての表示変化の態様例について説明する。残る第２例、第３例については後述する。また、図５においては、シーン内インデックス領域Ａｒ２におけるスクロールバーＢｒ２の表示は省略している。
【００４３】
例えば先に図２にて説明したようにして、ハードウェアキーであるフィルムロールキー２１ｂ、あるいはホームメニュー画面におけるフィルムロールインデックスボタンＢｔ１２に対する操作が行われたとすると、図２（ａ）又は図２（ｂ）から図２（ｃ）への遷移として示すようにして、表示画面部２０Ａは、フィルムロールインデックス画面の表示に移行する。即ち、フィルムロールインデックス画面の表示が開始される。
【００４４】
図５（ａ）には、図２（ｃ）に対応するフィルムロールインデックス画面の表示が開始されて最初のシーン内インデックス画像の貼り付けが為されたシーン内インデックス領域ＡＲ２の内容例が示されている。なお、この図に示されるシーン内インデックス領域ＡＲ２の内容例としては、図３と同じものを示している。つまり、第１〜第１０インデックス画像貼付領域Ｆ１〜Ｆ１０のそれぞれにおいて、シーン単位インデックス画像Ｐ２が対応するシーン（選択シーン）における時系列順が１番目〜１０番目となる１０枚のシーン内インデックス画像Ｐ１０１〜Ｐ１１０が貼付表示された状態を示している。
【００４５】
そして、上記のようにしてインデックス画像貼付領域Ｆ１〜Ｆ１０に対してシーン内インデックス画像Ｐ１０１〜Ｐ１１０が貼付表示されたシーン内インデックス領域ＡＲ２の表示が維持されたまま、一定時間（待機時間）を経過したとすると、シーン内インデックス領域ＡＲ２においては、シーン内インデックス画像が、インデックス画像貼付領域の１個分（ｍ＝１）だけ送り方向に（昇順に従って）移動するようにしてスクロールされた表示内容に変化するようにされる。
つまり、図５（ｂ）に示すようにして、インデックス画像貼付領域Ｆ１〜Ｆ９には、それまでインデックス画像貼付領域Ｆ２〜Ｆ１０に表示されていたシーン内インデックス画像Ｐ１０２〜Ｐ１１０がそれぞれ新たに移動して配置されることになる。またこれとともに、インデックス画像貼付領域Ｆ１０には、シーン内インデックス画像Ｐ１１０に対してシーンの再生時間的に１つ後となる、シーン内の時系列順が１１番目のシーン内インデックス画像Ｐ１１１が新たに配置表示される。
【００４６】
さらに、図５（ｂ）のようにして、シーン内インデックス画像Ｐ１０２〜Ｐ１１１がインデックス画像貼付領域Ｆ１〜Ｆ１０に配置された表示状態で一定時間を経過すると、続いては、図５（ｃ）に示すようにして、インデックス画像貼付領域Ｆ１〜Ｆ９には、シーン内時系列順が３番目〜１２番目のシーン内インデックス画像Ｐ１０３〜Ｐ１１１がそれぞれ新たに移動して配置される。またこれとともに、インデックス画像貼付領域Ｆ１０には、シーン内インデックス画像Ｐ１１１に対してシーンの再生時間的に１つ後となる、シーン内時系列順が１２番目のシーン内インデックス画像Ｐ１１２が新たに配置表示される。
【００４７】
上記したインデックス画像の移動のタイミングとパターンによる第１例の自動スクロール動作についての見え方としては、先ずフィルムロールインデックス画面の表示開始とともに、図５（ａ）に示す内容が一定時間にわたって固定的に表示され、この一定時間が経過すると図５（ｂ）に示す内容の表示に瞬時的に切り換わるものとなる。そして、この図５（ｂ）の内容の表示についての一定時間にわたって固定的表示されると、次には、図５（ｃ）に示す内容の表示に瞬時的に切り換わるものとなる。つまり、第１例では、一定時間が経過する毎に、瞬時的に、インデックス画像貼付領域１つ分によるシーン内インデックス画像の移動としてのスクロールが完了した状態の画内容の表示に切り換わっていく見え方で、送り方向に対するスクロールが自動的に行われる表示態様となる。
【００４８】
上記したシーン内インデックス画像についての、送り方向（シーン再生時間を先へ進める方向）へのスクロールの規則を模式的に表したものを、図６に示す。なお、この図に示す説明は、図中において示される矢印に付した（  ）内の番号に従って行う。この番号は、矢印により示すスクロールのための手順（スクロール手順）の実行順序を示す番号となる。また、この番号に従ったスクロール手順は、本実施の形態において、後述する図１３、図１４などによる説明からも明確となるように、シーン内インデックス領域ＡＲ２における、スクロールの動作を実現するための表示制御の手順となるものである。
【００４９】
シーン内インデックス画像を、送り方向に従ってインデックス画像貼付領域の１個分によりスクロールさせるのにあたっては、先ず、スクロール手順（０）の番号が付された矢印により示すように、これまでインデックス画像貼付領域Ｆ１に表示されていたシーン内インデックス画像をインデックス画像貼付領域Ｆ１から消去する。次に、スクロール手順（１）の番号が付された矢印により示すように、これまでインデックス画像貼付領域Ｆ２に表示されていたシーン内インデックス画像を、インデックス画像貼付領域Ｆ１に対して移動配置する。この移動配置により、インデックス画像貼付領域Ｆ２は、シーン内インデックス画像の表示が消去された状態になったとみることができる。そこで、続いては、スクロール手順（２）の番号が付された矢印により示すように、この画像が表示されていないインデックス画像貼付領域Ｆ２に対して、これまでインデックス画像貼付領域Ｆ３に表示されていたシーン内インデックス画像を移動配置させ、これに伴って、インデックス画像貼付領域Ｆ３は、画像が非表示の状態となる。以降は、スクロール手順（３）〜（９）までの番号が付された矢印により示される順序に従い、これまでインデックス画像貼付領域Ｆ４〜Ｆ１０に表示されていたシーン内インデックス画像を、順次、インデックス画像貼付領域Ｆ３〜Ｆ９に移動させるようにする。
上記のスクロール手順（９）を完了した状態では、インデックス画像貼付領域Ｆ１０が画像非表示の状態となる。そこで、次のスクロール手順（１０）としては、インデックス画像貼付領域Ｆ９に移動配置されたシーン内インデックス画像に対して時系列的に次となるシーン内インデックス画像を新たに表示させるようにする。これまでのスクロール手順（０）〜（１０）により、シーン内インデックス領域ＡＲ２におけるインデックス画像貼付領域Ｆ１〜Ｆ１０に貼り付けられるべき１０個全てのシーン内インデックス画像が、インデックス画像貼付領域の１個分、送り方向に移動・シフトされる一連の動作（以降、単位スクロールともいう）が完了することになる。
【００５０】
先に述べた図５（ａ）〜（ｃ）としてのスクロールが行われた後においても、選択シーンを形成するシーン内インデックス画像がさらに残っているのであれば、上記図６により説明したようにして、順次、一定時間（待機時間）を経過するごとに、上記の単位スクロールが繰り返される。なお、このようにして単位スクロールが繰り返される都度、スクロールバーＢｒ２におけるノブＮＢの表示位置も、先頭位置（左端）から徐々に右に移動していくようにされる。
そして、最終的に、単位スクロールの動作において、最後に、選択シーンを形成する最後のシーン内分割区間に対応するシーン内インデックス画像をインデックス画像貼付領域Ｆ１０に配置表示させる手順が行われたとされると、フィルムロールインデックス画面上での自動スクロールが一巡して終了したこととなる。このときには、ノブＮＢは、スクロールバーＢｒ２の左端に位置している。
この後は、例えば、上記の自動スクロールが終了したとされる状態のシーン内インデックス領域ＡＲ２の表示を維持するようにして、以降のスクロールは、戻しボタンＢｔ４２、送りボタンＢｔ４１、若しくはスクロールバーＢｒ２におけるノブＮＢに対する操作に応じて行われるようにする。
なお、シーン内インデックス画像の自動スクロール処理のシーケンスを一巡して終了させた後のフィルムロールインデックス画面（シーン内インデックス領域ＡＲ２）についての表示態様は、上記のほかにもいくつか考えることができる。例えば、もう一度、初期表示と同じシーン内インデックス領域ＡＲ２の表示内容に戻して、再度、先頭のシーン内インデックス画像（Ｐ１０１）からの自動スクロールを繰り返すようにすることが考えられる。
また、他のシーンを選択シーンとするシーン内インデックス画像の自動スクロールに移行させることも考えられる。このときに、どのシーンを次の選択シーンとするのかは、シーン単位に対して設定された再生順などの順序に応じて決定することとすればよい。このシーン単位の順序は、本実施の形態のフィルムロールインデックス画面上では、例えばシーン単位インデックス領域におけるシーン単位インデックス画像の表示順に反映されているものとされる。
【００５１】
このようにして本実施の形態においては、フィルムロールインデックス画面の表示を開始すると共に、シーン内インデックス領域ＡＲ２におけるシーン内インデックス画像を自動的にスクロールさせることが可能とされている。
このようにして自動スクロールが行われることで、ユーザは、フィルムロールインデックス画面を見ているだけで、選択シーンの中の全体的な内容を把握していくことが可能になる。つまり、ユーザは、フィルムロールインデックス画面により選択シーンの中の全体的な内容を把握しようとするのにあたって、例えばスクロールを行うための操作を行うような面倒が無くなるものであり、ユーザにとっては、より使い易くなる。
また、自動的にスクロールが行われることで、シーン内インデックス領域ＡＲ２における表示は動画的なものとなるので、サムネイル一覧的な画像についての視覚的な面白み、娯楽性も、より高まることになる。
【００５２】
また、ここで、本実施の形態のフィルムロールインデックス画面における関連機能ボタンＢｔ３を操作した場合についての説明をしておくこととする。
先にも述べたように、関連機能ボタンＢｔ３は、そのときに表示されている操作画面などに対応・関連した他の機能操作などのための画面（例えばメニュー画面など）に即座に移行するために用意されるものであり、どのような画面に移行するのかは、上記操作画面の内容に応じて異なってくる。
そして、フィルムロールインデックス画面において配置される関連機能ボタンＢｔ３に対するタッチパネル押操作を行った場合には、例えば図７（ａ）から図７（ｂ）への遷移として示すようにして、表示画面部２０Ａは、フィルムロールインデックス画面対応の関連メニュー画面に移行するようにされる。
【００５３】
この図７（ｂ）に示される関連メニュー画面においては、抽出時間間隔設定用ボタンＢｔ５１、スクロール速度レベル設定用ボタンＢｔ５２と、戻るボタンＢｔ１４が配置表示されている。なお、戻るボタンＢｔ１４を操作すれば、この関連メニュー画面が表示される前の状態である、図７（ａ）のフィルムロールインデックス画面に移行する。
【００５４】
ここで、抽出時間間隔設定用ボタンＢｔ５１に対するタッチパネル押操作を行った場合には、図７（ｃ）に示す抽出時間間隔設定画面に移行することになる。この抽出時間間隔設定画面に対する操作により、図４に示した抽出時間間隔Ｔｍ、つまり各シーン内インデックス画像を抜き出すべき再生時間を変更設定することができる。
この抽出時間間隔設定画面には、図８に示すようにして、プラスボタンＢｔ６１、マイナスボタンＢｔ６２、及び設定時間表示ウィンドウＷｄ１が配置表示されている。ユーザは、プラスボタンＢｔ６１、マイナスボタンＢｔ６２を適宜操作して、設定時間表示ウィンドウＷｄ１内に表示されている抽出時間間隔Ｔｍを示す数値を増減させ、自身が望む抽出時間間隔Ｔｍとしての時間長を設定するようにされる。抽出時間間隔Ｔｍについて短めに設定すれば、抽出されるシーン内インデックス画像の間隔が短くなるので、例えば短い時間内でシーンの入れ換わりが激しい場面を抽出する際に有効となる。一方、抽出時間間隔Ｔｍを長めに設定すれば、抽出されるシーン内インデックス画像の間隔が長くなるので、あまり内容に変化が無いような場面を抽出する際に有効となる。
本実施の形態としては、上記のようにして、抽出時間間隔Ｔｍについてユーザによる変更設定が可能であるとしているが、例えば、一般的に最適であろうと推定される抽出時間間隔Ｔｍを固定的に設定することとしてもよいものである。
【００５５】
また、抽出時間間隔設定画面内の戻るボタンＢｔ１４に対するタッチパネル押操作を行った場合には、図７（ｃ）から図７（ａ）への遷移として示すように、フィルムロールインデックス画面に移行するようにされている。つまり、この場合には、抽出時間間隔設定画面が関連メニュー画面の階層下のメニュー画面であることにより、関連メニュー画面の表示前の状態に戻ることとしたものである。
【００５６】
また、スクロール速度レベル設定用ボタンＢｔ５２に対するタッチパネル押操作を行った場合には、図７（ｄ）に示すスクロール速度レベル設定画面に移行することになる。スクロール速度レベル設定画面は、スクロール速度レベルをユーザ操作に応じて変更設定するための画面であるが、ここでいう「スクロール速度レベル」とは、スクロール表示が変化する速度を、段階的なレベル値により表したものとされる。例えば先に図５により説明した第１例の自動スクロールの場合であれば、スクロール速度レベルを変更することによっては、単位スクロールが行われてシーン内インデックス領域の固定表示されたとする状態となってから、次の単位スクロールが実行されるまでの一定時間（待機時間）としての時間長が変更される。
例えばユーザは、図７（ａ）のフィルムロールインデックス画面にて実行される自動スクロールの速度が、速すぎるあるいは遅すぎるなどと感じて、これを自分が希望する速度に修正したいと思ったときに、上記した操作により、スクール速度レベル設定画面に移行させ、スクロール速度レベルを変更することができる。ちなみに、スクロール速度レベルの値を高く設定して、スクロールが速く行われるようにすれば、選択シーンの全体的な内容を短時間で把握できることになる。また、スクロール速度レベルの値を低くしてスクロールがゆっくりと行われるようにすれば、個々のシーン内インデックス画像の内容が確認しやすくなる。
【００５７】
このスクロール速度レベル設定画面には、図９に示すようにして、プラスボタンＢｔ７１、マイナスボタンＢｔ７２、及び設定値表示ウィンドウＷｄ１１が配置表示されている。ユーザは、プラスボタンＢｔ７１、マイナスボタンＢｔ７２を適宜操作して、スクロール速度レベル表示ウィンドウＷｄ１１内に表示されているスクロール速度レベルを示す数値を増減させ、自身が望むスクロール速度レベルとしての数値を設定するようにされる。なお、ここでは、スクロール速度レベルは、１〜１０の１０段階による設定変更が可能とされているが、これはあくまでも一例である。
また、この場合には、スクロールによる表示内容の変更タイミングに関して、そのときの待機時間としての時間間隔を、「スクロール速度レベル」なるパラメータにより変更することとしているが、例えばより直接的、具体的に、待機時間の時間間隔を数値で表したパラメータにより指定できるようなインターフェイスとすることも考えられる。また、このスクロール速度の設定に関しても、例えば、一般的に最適であろうと推定されるパラメータ値を固定的に設定することは可能である。
【００５８】
また、スクロール速度レベル設定画面内のボタンＢｔ１４に対するタッチパネル押操作を行った場合にも、図７（ｄ）から図７（ａ）への遷移として示すように、フィルムロールインデックス画面に移行するようにされている。
【００５９】
続いては、図１０のフローチャートを参照して、スクロール速度レベル設定画面に対する操作に対応してビデオカメラ装置１が実行するものとされる処理手順例について説明する。
上記説明のようにして、例えば図７（ｂ）の関連メニュー画面におけるスクロール速度レベル設定用ボタンＢＴ５２に対する操作が行われたとする。この操作に応じて、ビデオカメラ装置１は、図１０のステップＳ１０１として示すように、ＧＵＩ画像として、図７（ｄ）に示した態様のスクロール速度レベル設定画面を表示部２０の表示画面部２０Ａに表示させるための制御を実行する。この制御に応じて、ＯＳＤ処理部１８においてはスクロール速度レベル設定画面の表示用ビデオ信号が生成され、必要に応じて重畳処理部１９において他の表示用ビデオ信号との合成が行われたうえで、表示部２０に対して出力される。これにより、スクロール速度レベル設定画面が表示されることになる。
【００６０】
上記ステップＳ１０１によりスクロール速度レベル設定画面を表示させた状態においては、先ず、ステップＳ１０２において、戻るボタンＢｔ１４に対する操作が行われたか否かについて判別する。
ステップＳ１０２において、戻るボタンＢｔ１４に対する操作が行われたとして肯定の判別結果が得られた場合には、ステップＳ１１０に進み、スクロール速度レベル設定画面を消去する。なお、この後における処理手順（図示せず）により、表示画面部２０Ａの表示内容は、図７（ａ）に示すフィルムロールインデックス画面に切り換わるようにされる。
一方、ステップＳ１０２において戻るボタンＢｔ１４に対する操作は行われていないとして否定の判別結果が得られた場合には、ステップＳ１０３に進む。
【００６１】
ステップＳ１０３においては、プラス（＋）ボタンＢｔ７１に対する操作が行われたか否かについて判別する。ここで、プラスボタンＢｔ７１に対する操作が行われたことが判別された場合には、ステップＳ１０４に進む。
ステップＳ１０４においては、今回のプラスボタンＢｔ７１に対する操作が行われるまでにおいて設定されていたスクロール速度レベルの値（スクロール速度レベル値）が最大であるか否かについて判別する。ここでスクロール速度レベル値が最大であるとして肯定の判別結果が得られた場合には、今回のプラスボタンＢｔ７１に対する操作に応答したスクロール速度レベル値の増加設定は行えないことになる。そこで、この場合には、特にスクロール速度レベル値の変更を行うことなく、ステップＳ１０２に戻るようにされる。
これに対して、スクロール速度レベル値が最大でないとして否定の判別結果が得られた場合には、ステップＳ１０５に進み、これまで保持していたスクロール速度レベル値をインクリメント（１つ増加）するようにして更新設定を行う。
例えばこれまでのスクロール速度レベル値が「６」であったとすれば、「７」に更新設定することになる。ステップＳ１０５の処理を完了した後は、後述するステップＳ１０９の手順に進む。
【００６２】
また、ステップＳ１０３においてプラスボタンＢｔ７１に対する操作は行われなかったとして否定の判別結果が得られた場合には、ステップＳ１０６に進む。
ステップＳ１０６においては、マイナス（−）ボタンＢｔ７２に対する操作が行われたか否かについて判別する。ここで、マイナスボタンＢｔ７２に対する操作が行われたことが判別された場合には、ステップＳ１０７に進む。
ステップＳ１０７においては、今回のマイナスボタンＢｔ７２に対する操作が行われるまでにおいて設定されていたスクロール速度レベル値が最小であるか否かについて判別する。ここでスクロール速度レベル値が最小であるとして肯定の判別結果が得られた場合には、今回のマイナスボタンＢｔ７２に対する操作に応答したスクロール速度レベル値の減少設定は行えないことになる。そこで、この場合には、特にスクロール速度レベル値の変更を行うことなく、ステップＳ１０２に戻るようにされる。
これに対して、スクロール速度レベル値が最小でないとして否定の判別結果が得られた場合には、ステップＳ１０８に進み、スクロール速度レベルを１ステップ減少させて更新設定を行う。このステップＳ１０８の処理を完了した後は、ステップＳ１０９の手順に進む。
【００６３】
ステップＳ１０９においては、上記ステップＳ１０５又はステップＳ１０９により更新設定されたスクロール速度レベル値が反映されるようにして、スクロール速度レベル設定画面における設定値表示ウィンドウＷｄ１１内に表示される数値を変更するための表示制御を実行する。
【００６４】
続いては、これまでに説明したシーン内インデックス画像の自動スクロールを含む、本実施の形態としてのフィルムロールインデックス画面の表示を実現するための技術構成例について説明を行っていくこととする。
【００６５】
フィルムロールインデックス画面に表示されるシーン単位インデックス画像若しくはシーン内インデックス画像は、ＨＤＤ１６に記憶管理されているシーン単位相当のビデオコンテンツのデータを基として生成されるものとなる。
そこで、先ず、本実施の形態のビデオカメラ装置１による、ＨＤＤ１６に記憶されるビデオコンテンツについての管理態様例についての説明を、図１１及び図１２を参照して行っておくこととする。
先ず、図１１においては、ＨＤＤ１６の記憶内容例を模式的に示している。この場合、ＨＤＤ１６には、シーン単位に対応する単位動画データ（動画ファイル）である、ｎ個のビデオコンテンツ１〜ｎが記憶されているものとしている。通常は、１シーンが１つの動画ファイルに対応するが、１シーンの時間が一定以上になると、そのシーンは、ファイルシステム上では、複数の動画ファイルに分割して管理されることになる。ファイルシステムより上のビデオコンテンツ管理のためのアプリケーションにより、これらの分割された動画ファイルを１つのシーンとして扱うようにされる。そして、このビデオコンテンツのデータとともに、ビデオコンテンツ管理ファイルもＨＤＤ１６に記憶させることとしている。
【００６６】
１動画ファイルに対応するビデオコンテンツのデータ（ビデオコンテンツデータ）の構造例を図１２に示す。
図１２（ａ）には、ビデオコンテンツデータを、時系列に従ったデータ書込単位のシーケンスにより示している。例えばビデオカメラ装置１は、記録メディアであるＨＤＤ１６に対して、ビデオコンテンツのデータを書き込んで記録するのにあたり、記録再生処理回路１５にて、ビデオコンテンツの記録用データを生成して、これを一時的にバッファに蓄積していくようにされる。そして、このバッファに蓄積された或るまとまったサイズの記録用データの集合を、所定のタイミングで以て、一度に読み出してＨＤＤ１６に書き込むようにされる。ここでのデータ書込単位は、このバッファに蓄積されて一度に書き込まれるデータが対応するものであり、ここでは、データ書込単位はほぼ一定であるものとされる。
【００６７】
このデータ書込単位は、この場合には、図１２（ｂ）に示すようにして、複数のＧＯＰ(Group Of Picture)のシーケンスにより成るものとされる。ＧＯＰは、周知のようにして、画像圧縮符号化処理により得られる１つの再生単位(圧縮・伸長処理単位)であり、これ自体で、独立して復調処理を行って、或る時間分の動画を正常に再生することができる。また、これも周知のようにして、ＧＯＰ内には、少なくとも１つのＩ(Intra)ピクチャを含むようにされている。確認のために、Ｉピクチャは、他のＰ(Predictive)ピクチャ、Ｂ(Bi-directional Predictive)ピクチャなどのようにして、前又は後方向のフレーム画像を基に予測符号化により生成された画像ではなく、１つの独立したフレーム画像から生成される画像データである。
そして、この場合のＧＯＰ内の構造としては、図１２（ｃ）に示すようにして、或る所定単位により分割されたビデオ(Video)データ、オーディオ(Audio)データから成るものとされる。
【００６８】
また、図１１において示されるビデオコンテンツ管理ファイルは、同じＨＤＤ１６に記憶されるビデオコンテンツの再生（ここでは通常再生、早送り、早戻しなどをはじめとする変則再生、また、プレイリスト再生などを総括して「再生」といっている）を管理するために必要なファイルであり、例えばその内容としては、図示するようにして、ＨＤＤ１６に記憶されるビデオコンテンツ１〜ｎのそれぞれに対応した管理情報部１〜ｎを有して形成されている。例えばビデオコンテンツ１についての再生管理を行うときには、ビデオコンテンツ管理ファイルにおける管理情報部１を利用することになる。
なお、実際において、このビデオコンテンツ管理ファイルのようにして、ビデオコンテンツ管理用のファイルを、ビデオコンテンツのファイルとは個別に持つようにされた規格・フォーマットとしては、ＡＶＣＨＤなどを挙げることができる。また、ＨＤＤではないが、ＤＶＤ−Ｖｉｄｅｏ、ＤＶＤ＋ＶＲ、ＤＶＤ−ＶＲに対して、標準信号形式（ＳＤ形式）により記録するような場合にも、このようなビデオコンテンツ管理用のファイルを記録することが行われている。
【００６９】
図１３及び図１４のフローチャートは、本実施の形態のビデオカメラ装置１が実行するものとされるフィルムロールインデックス画面についての表示制御に関する処理手順例を示している。そして、この処理手順例は、先に説明した第１例としての自動スクロールが行われることを前提とする。つまり、フィルムロールインデックス画面の表示が開始されてから、第１例としての態様による自動スクロールが行われて、最終的に、選択シーンにおける最後のシーン内分割区間に対応するシーン内インデックス画像が、シーン内インデックス領域ＡＲ２のインデックス画像貼付領域Ｆ１０に配置表示されるまでに対応した処理手順例となるものである。
【００７０】
例えば、他の画面からフィルムロールインデックス画面に表示を移行させる操作、若しくは、フィルムロールインデックス画面が表示されている状態の下で、シーン単位インデックス領域ＡＲ１における選択シーンを変更する操作が行われて、シーン内インデックス領域ＡＲ２の表示内容を、選択シーンの変更に応じて変更すべきこととなったとされると、ビデオカメラ装置１は、図１３のステップＳ２０１から始まる処理手順を実行するようにされる。
先ず、ステップＳ２０１においては、ＨＤＤ１６に記憶されている動画データの管理ファイルから、現在参照中のシーンに対応するビデオコンテンツに対応する管理情報部を読み込んで取得するようにされる。
【００７１】
ここで、ビデオコンテンツ管理ファイルの管理情報部は、対応するビデオコンテンツに関しての各種の管理情報項目を備えて成るものとされるが、これらの管理情報項目のうちで、この図１３に示される処理が利用するものとしては、以降の説明からも理解されるように、ＧＯＰ単位のデータサイズを示すサイズ情報や、ビデオデータ(ストリーム)についての再生時間情報などとなる。
【００７２】
続くステップＳ２０２においては、先ず、シーン内インデックス画像を除くフィルムロールインデックス画面としての画像内容を表示させるための制御を実行する。つまり、ビデオカメラ装置１では、マイクロプロセッサ１７の制御により、ＯＳＤ処理部１８にて、シーン単位インデックス領域ＡＲ１、シーン内インデックス領域ＡＲ２を形成する枠画像、ボタン画像、スクロールバー画像など、またクローズボタンＢｔ２、関連機能ボタンＢｔ３などから形成される、いわゆるグラフィックといわれるフィルムロールインデックス画面部分の表示用画像データを形成するようにされる。そのうえで、さらにシーン単位インデックス画像としてのサムネイル画像を、例えばＨＤＤから読み出す、あるいは、シーン内の所定位置のフレーム画像データを読み出して画像縮小処理などにより生成するなどして取得する。そして、このようにして得たサムネイル画像を、シーン単位インデックス領域ＡＲ１内に貼り付けるようにされる。
ここまでの処理により得られる表示用画像データは、フィルムロールインデックス画面において、インデックス画像貼付領域Ｆ１〜Ｆ１０にサムネイル画像データ（シーン単位インデックス画像）のみが貼り付けられていない状態の画内容を有している。ステップＳ２０２としては、この表示用画像データを重畳処理部１９を介して表示部２０に出力する。この結果として、表示画面部２０Ａには、シーン内インデックス画像のみが表示されていないフィルムロールインデックス画面が表示されることになる。
【００７３】
ステップＳ２０３においては、このときに設定されている抽出時間間隔Ｔｍに基づいて、単位オフセット値(ut_offset)を決定する。この単位オフセット値（ut_offset）は、後述する説明から理解されるように、シーン内インデックス画像の元となるＩピクチャを探索するのに利用する値とされる。例えば、この単位オフセット値（ut_offset）についても時間値として表されるものであるとすれば、単位オフセット値は、抽出時間間隔Ｔｍが示す時間長と一致する値を示すこととなる。
【００７４】
また、ステップＳ２０４においては、絶対オフセット値(absl_offset)について、初期値として０を設定するようにされる。絶対オフセット値(absl_offset)は、選択シーンに対応するビデオコンテンツの再生開始時間（時刻）を起点とする再生時間のオフセット値を指す。absl_offset=0は、ビデオコンテンツの再生開始時間を示していることになる。
【００７５】
ステップＳ２０５においては、このときに設定されているスクロール速度レベルの値に基づいて、スクロール時間Ｔを設定し、これを例えばマイクロプロセッサ１７が有しているとされるＲＡＭなどの記憶領域に保持するようにされる。
第１例の自動スクロールにおけるスクロール時間Ｔは、以降の図１４の説明から理解されるように、例えば一回の単位スクロールが実行されてから、次のシーン内インデックス画像１つ分のスクロールが完了した状態の表示に切り換わるまでの時間（待機時間）に相当する。これは、単位スクロールが完了した状態のシーン内インデックス領域を固定表示する時間長にも相当する。
ここで、ステップＳ２０５としてスクロール時間Ｔを特定するためには、例えば先ず、スクロール速度レベルの値と、スクロール時間Ｔとを対応付けたテーブルをマイクロプロセッサ１７が保持しておくこととして、このテーブルを参照して、現在設定されているスクロール速度レベル値に対応付けられているスクロール時間Ｔを検索する構成を考えることができる。あるいは、スクロール速度レベル値を用いた所定の関数についての演算を行って、その解としてスクロール時間Ｔを求めるようにすることも考えられる。
【００７６】
ステップＳ２０６においては、変数ｎについて、初期値として１を代入（設定）する。この変数ｎは、シーン内インデックス画像として抽出したサムネイル画像データを貼り付けるためのインデックス画像貼付領域を特定するものとなる。つまり、第１〜第１０インデックス画像貼付領域Ｆ１〜Ｆ１０のうちから何れか１つが、変数ｎにより特定される。変数ｎ＝１であれば、第１インデックス画像貼付領域Ｆ１を示すことになる。
【００７７】
上記の初期設定を行ったうえで、ステップＳ２１５にて肯定の判別結果が得られるまでに実行されるステップＳ２０７〜Ｓ２１６をループする（繰り返す）手順が、フィルムロールインデックス画面の初期表示段階においてサムネイル画像データが貼り付けられていない第１〜第１０インデックス画像貼付領域Ｆ１〜Ｆ１０に対して、順次、シーン内インデックス画像としてのサムネイル画像データを貼り付けていくための手順となる。
【００７８】
先ず、ステップＳ２０７においては、先のステップＳ２０１により取得した管理情報部を参照することにより、現在の絶対オフセット値(absl_offset)により示されるビデオコンテンツの再生時間の前後において最も近い時間位置に在るとされるＩピクチャを探索するようにされる。このときの探索結果であるＩピクチャの位置としては、例えばビデオコンテンツにおける再生時間により表現される。また、このステップＳ２０７にて探索されたＩピクチャは、静止画によるシーン単位インデックス画像として、静止画インデックスプレーン上での第ｎインデックス画像貼付領域Ｆｎに対応した位置に貼付表示されるべきサムネイル画像データの基となるものである。
ちなみに、ステップＳ２０６に続いてステップＳ２０７を最初に実行するときには、絶対オフセット値はabsl_offset=0となるが、これに対応しては、選択シーンにおける先頭のＩピクチャを探索することになる。
【００７９】
そして、ステップＳ２０８においては、ＨＤＤ１６に記録されている選択シーンのビデオコンテンツのストリームデータにおける、上記ステップＳ２０７により探索したＩピクチャの再生時間位置に対応するデータ位置にアクセスする。これにより、探索したＩピクチャの実データへのアクセスが行われたこととなる。そして、このアクセスしたＩピクチャのデータを読み出して取得するようにされる。
【００８０】
ステップＳ２０９においては、上記ステップＳ２０８により取得したＩピクチャのデータから、シーン内インデックス画像としての表示サイズに適合した画サイズによるサムネイル画像データを生成する。そして、ステップＳ２１０により、上記ステップＳ２０９において生成したサムネイル画像データを、ステップＳ２０２により表示させたフィルムロールインデックス画面の基となる表示用画像データ上における、第ｎインデックス画像貼付領域Ｆｎに対応する位置に貼り付けるようにされる。
【００８１】
後の説明から理解されることであるが、上記ステップＳ２０７〜Ｓ２１０の手順は、ステップＳ２１７を経て実行される場合には、一回の単位スクロールの動作において、図６におけるスクロール手順（１０）として示した、インデックス画像貼付領域Ｆ１０に対して、新たに、インデックス画像貼付領域Ｆ９に移動させたシーン内インデックス画像に対して時系列的に次となるシーン内インデックス画像を貼り付けるための手順となる。従ってこの場合には、ステップＳ２１０の手順を実行したことで、１回の単位スクロール動作が完了することになる。
そして、ステップＳ２１１においては、直前のステップＳ２１０の手順の完了を以て、１回の単位スクロール動作が完了したものであるか否かについて判別する。
【００８２】
上記ステップＳ２１１において、肯定の判別結果が得られた場合には、上記したとおりに、直前のステップＳ２１０を終了した段階で、一回の単位スクロールが完了したことになる。そこで、ステップＳ２１２においては、今回の単位スクロールの実行によって、シーン内インデックス領域ＡＲ２に表示されるシーン内インデックス画像群が対応するシーン内区間の時間が、シーン内分割区間（抽出時間間隔Ｔｍ）の１つ分だけ進められたことに応じて、シーン内インデックス領域ＡＲ２にて配置されているスクロールバーＢｒ２におけるノブＮＢの位置も右側に進めるようにして、その位置を変更するための表示制御を実行する。
【００８３】
一方、ステップＳ２１１において否定の判別結果が得られた場合には、直前のステップＳ２０７〜Ｓ２１０の手順は、ステップＳ２１５にて肯定の判別結果が得られる前段階においてステップＳ２０７〜Ｓ２１６をループさせている段階におけるものとなる。つまり、ステップＳ２０２により表示されたフィルムロールインデックス画面にのインデックス画像貼付領域Ｆ１〜Ｆ１０において、未だサムネイル画像データが貼り付けられていない領域に対して、順次、サムネイル画像データを貼り付けていく過程であることになる。
そこで、この場合には、ステップＳ２１２の手順を実行することなく、ステップＳ２１３に進むようにされる。
【００８４】
ステップＳ２１３においては、サムネイル画像表示がシーン最終に到達したか否かについての判別を行う。すなわち、最後に実行したステップＳ２１０により貼り付けられたサムネイル画像データが対応するシーン内インデックス画像が、選択シーンにおける最終のシーン内分割区間についてのものであるか否かについての判別を行うようにされる。
このステップＳ２１３において、サムネイル画像表示がシーン最終に到達したという判別結果が得られた場合には、これまでの処理により、選択シーンにおける全てのシーン内インデックス画像についての表示を完了したことになるので、この図に示す処理は抜けるようにされる。これに対して、サムネイル画像表示がシーン最終に到達していないという判別結果が得られた場合には、ステップＳ２１４に進む。
ステップＳ２１４においては、絶対オフセット値(absl_offset)を更新設定する。この絶対オフセット値(absl_offset)の更新値は、
absl_offset←absl_offset＋ut_offset・・・(式１)
により表される演算により求められる。つまり、これまでに設定されていた絶対オフセット値(absl_offset)に対して、先のステップＳ２０３にて取得した単位オフセット値(ut_offset)を加算することにより得るようにされる。
【００８５】
ステップＳ２１５では、変数ｎの値について、最大値に至ったか否かについて判別する。本実施の形態においては、例えば図３などに示されるようにして、インデックス画像貼付領域は、１０個存在することから、これに対応して、変数ｎの最大値は１０となる。
先ず、ステップＳ２１５により、変数ｎが最大値未満であるとして否定の判別結果が得られた場合には、未だサムネイル画像データが貼り付けられていないインデックス画像貼付領域が残っているということになる。そこで、この場合には、ステップＳ２１６により変数ｎについてインクリメントを行ったうえで、ステップＳ２０７に戻るようにされる。
このようにして、ステップＳ２１５にて否定の判別結果が得られる限りは、ステップＳ２１６にて変数ｎをインクリメントした上で、ステップＳ２０７〜Ｓ２１０の処理を繰り返すことになる。この結果、ステップＳ２０２において表示された、シーン内インデックス画像のサムネイル画像データが貼り付けられていないフィルムロールインデックス画面に対して、順次、インデックス画像貼付領域Ｆ１〜Ｆ１０の順で、選択シーン先頭からのシーン内インデックス画像のサムネイル画像データが貼り付け表示されていくことになる。
【００８６】
そして、ステップＳ２１５にて変数ｎが最大値に至った（最大値以上）であるとして肯定の判別結果が得られた場合には、現段階においては、全てのインデックス画像貼付領域に対してサムネイル画像データが貼り付けられた状態であることになる。
この状態に至った場合、本実施の形態としては、自動スクロール動作として、単位スクロールを行うべきことになる。このために、ビデオカメラ装置１は、ステップＳ２１７としてのインデックス画像移動処理を実行するようにされる。
【００８７】
上記ステップＳ２１７としてのインデックス画像移動処理は、先に図６により説明した単位スクロールを成す、スクロール手順（０）〜（１０）のうちで、スクロール手順（０）〜（９）に対応した処理となる。このインデックス画像移動処理としての処理手順例を、図１４のフローチャートに示す。
【００８８】
図１３においては、先ず、ステップＳ３０１により、先のステップＳ２０５により設定、保持されたスクロール時間Ｔを、例えばマイクロプロセッサ１７が保有するタイマに対して計時時間として設定するとともに、タイマの計時を開始させる。次に、ステップＳ３０２により、上記タイマにより計時するスクロール時間Ｔが経過するのを待機するようにされる。このステップＳ３０２によりスクロール時間Ｔ（タイマ時間）が経過するのを待機している間は、単位スクロールとしてのシーン内インデックス画像を移動させる表示制御は実行されない。従って、このときのシーン内インデックス領域ＡＲ２内の表示状態としては、最後に実行したステップＳ２１０の終了段階において得られている画像内容が固定的に維持されていることになる。
そして、ステップＳ３０２において、タイマの計時時間についてスクロール時間Ｔを経過したとして肯定の判別結果が得られたのであればステップＳ３０３に進む。
【００８９】
ステップＳ３０３においては、先ず、第１インデックス画像貼付領域Ｆ１においてこれまで貼り付け表示させていたシーン内インデックス画像としてのサムネイル画像データを消去するようにされる。つまり、ステップＳ３０３は、図６におけるスクロール手順（０）に対応する。
【００９０】
次のステップＳ３０４では、変数ｎについて２を代入したうえで、ステップＳ３０５に進む。
ステップＳ３０５においては、現在の変数ｎが最大値（１０）以下であるか否かについて判別することとしている。ここで、変数ｎが最大値以下であるとして肯定の判別結果が得られた場合には、ステップＳ３０６に進み、これまで第ｎインデックス画像貼付領域Ｆｎに貼り付けられていたサムネイル画像データを、第ｎ−１インデックス画像貼付領域Ｆｎ−１に対して移動させるようにして、画像の貼り付け処理を行うようにされる。
上記ステップＳ３０６の処理を終了したとされると、ステップＳ３０７において、変数ｎについてインクリメントした上で、ステップＳ３０５の手順に戻るようにされる。
【００９１】
ここで、ステップＳ３０４を経て最初に実行されるステップＳ３０６は、これまで第２インデックス画像貼付領域Ｆ２に貼り付けられていたサムネイル画像データを、第１インデックス画像貼付領域Ｆ１に対して移動させる処理となる。また、２回目に実行されるステップＳ３０６は、これまで第２インデックス画像貼付領域Ｆ２に貼り付けられていたサムネイル画像データを、第１インデックス画像貼付領域Ｆ１に対して移動させる処理となる。また、変数ｎが順次インクリメントされて最大値である１０と等しくなった場合においては、これまで第１０インデックス画像貼付領域Ｆ１０に貼り付けられていたサムネイル画像データを、第９インデックス画像貼付領域Ｆ９に対して移動させる処理が行われることになる。つまり、ステップ３０５に肯定結果が得られるまでループされるステップＳ３０６、Ｓ３０７によっては、図６のスクロール手順（１）〜（９）に対応した表示制御が実行されることになる。
そして、ステップＳ３０５にて、変数ｎが１１となって最大値より大きくなったことで、否定の判別結果が得られたとされると、ステップＳ３０８により変数ｎについてデクリメントを行ってｎ＝１０を設定したうえで、図１３のステップＳ２０７に戻ることになる。
【００９２】
このようにしてステップＳ２１７の手順を終了した段階では、単位スクロールを成す手順のうちスクロール手順（０）〜（９）までが完了していることで、インデックス画像貼付領域Ｆ１０には、本来表示されるべきシーン内インデックス画像としてのサムネイル画像データは未だ貼り付けられていない状態にある。しかし、ステップＳ２１７からステップＳ２０７に戻るようにされていることにより、続けてステップＳ２０７〜Ｓ２１０までの手順が実行されることで、インデックス画像貼付領域Ｆ９に移動されたシーン内インデックス画像に対して時系列的に次となるシーン内インデックス画像のサムネイル画像データが生成され、そして、インデックス画像貼付領域Ｆ１０に対して貼り付けられることになる。これにより、残るスクロール手順（１０）が完了し、これを以て、最後のステップＳ２１７による処理手順と合わせて、１回分の単位スクロールが完了したことになる。
【００９３】
そして、上記のようにして、一旦、ステップＳ２１７を経てステップＳ２０７に戻ってきた場合、変数ｎは常に最大値となっている。従って、ステップＳ２１３にて肯定の判別結果が得られない限りは、ステップＳ２１５においては常に肯定の判別結果が得られることになって、再度、ステップＳ２１７の処理を経た上で、ステップＳ２０７〜Ｓ２１０の手順を実行するというループを繰り返すことになる。
即ち、一定時間（スクロール時間Ｔ）が経過するごとに単位スクロールが行われるという、自動スクロールの動作が実現されているものである。
【００９４】
また、確認のために述べておくと、図１４のステップＳ３０３によるスクロール手順（０）から、ステップＳ３０５にて肯定の判別結果が得られるまで繰り返し実行されるステップＳ３０６によるスクロール手順（１）〜（９）までのシーケンスと、ステップＳ３０５にて肯定の判別結果が得られることに応じて実行するステップＳ２０７〜Ｓ２１０によるスクロール手順（１０）から成る、一回の単位スクロールを実現する一連の処理シーケンスは、例えば各手順を実行する間において特に待ち時間が与えられることなく、順次、連続的・継続的に実行される。
このために、結果として、スクロール手順（０）〜（１０）が順次実行されるものであるとしても、現在の画像処理環境の下では、これらの一連の手順が開始されてから終了するまでの時間は、人間にとっては非常に高速で、例えば瞬間的に感じられる程度のものとなる。即ち、単位スクロールの表示制御としての実際が、スクロール手順（０）〜（１０）を順次実行するものであるとしても、シーン内インデックス領域ＡＲ２における各シーン内インデックス画像の移動と、インデックス画像貼付領域Ｆ１０への新たなシーン内インデックス画像の貼り付けが同時に行われるようにして見える、第１例としての自動スクロールの表示態様が実現されるものである。
なお、図１４に示す手順においては、ステップＳ３０３により、先ず、第１インデックス画像貼付領域Ｆ１に貼り付けられているサムネイル画像データを消去し、そのうえで、ステップＳ３０６による、サムネイル画像データの移動処理に移行することとしているが、例えば、最初のステップＳ３０６により、第２インデックス画像貼付領域に貼り付けられていたサムネイル画像データを第１インデックス画像貼付領域Ｆ１に貼り付ける際において、これまで第１インデックス画像貼付領域Ｆ１に貼り付けられていたサムネイル画像データを上書き消去するような表示制御のアルゴリズムとした場合には、ステップＳ３０３の手順を省略できる。この点については、後述する図１８、図２０においても同様である。
【００９５】
続いては、自動スクロールについての第２例について説明する。
第１例の自動スクロールは、上記もしているように、人の視覚によっては、一回の単位スクロールの動作であるシーン内インデックス領域ＡＲ２における各シーン内インデックス画像の移動と、インデックス画像貼付領域Ｆ１０への新たなシーン内インデックス画像の貼り付けが同時に行われるようにして見えるようにしたうえで、単位スクロール完了後の画像内容については、或る程度の時間にわたって固定的に表示されて見えるようにして、表示制御を行うこととしていた。
これに対して、第２例の自動スクロールでは、第１例における単位スクロールの動作を成すスクロール手順（０）〜（１０）のそれぞれを実行するのにあたって、逐一、或る程度の待機時間を与えるようにされる。そして、このような緩慢な速度による単位スクロールの動作を繰り返すようにされる。
【００９６】
このようにして、第２例の自動スクロールとして、上記の待ち時間の要素については除外した、基本的な表示態様の変化、動作は、既に図６により説明しているものであるが、第２例としてのスクロール表示の見え方、表示態様について、改めて、図１５及び図１６を参照して説明しておくこととする。
【００９７】
図１５（ａ）には、例えば図３に示したのと同様のシーン内インデックス領域ＡＲ２の画像内容が示されている。つまり、図３におけるシーン単位インデックス画像Ｐ２を選択シーンとした場合において、最初に表示される画像内容を示している。このときには、インデックス画像貼付領域Ｆ１〜Ｆ１０に対して、それぞれ、選択シーンにおける先頭のシーン内分割区間Is1からシーン内分割区間Is10までに対応したシーン内インデックス画像Ｐ１０１〜Ｐ１１０が配置されている状態にある。そして、シーン内インデックス画像Ｐ１１０より後においても、さらにシーン内インデックス画像が存在する場合には、第２例としては、次のようにしてスクロールが行われていく。
【００９８】
先ずは、図１５（ａ）の内容での固定的表示が所定の待機時間分にわたって行われたとすると、続いては、図１５（ｂ）に示すようにして、これまで、インデックス画像貼付領域Ｆ１に表示されていた（貼り付けられていた）シーン内インデックス画像Ｐ１０１を消去する。つまり、図６のスクロール手順（０）に対応した表示が行われる。
また、上記図１５（ｂ）に示す表示状態となってから、上記と同じ一定時間を経過したとされると、図１５（ｃ）に示すようにして、これまでインデックス画像貼付領域Ｆ２に表示させていたシーン内インデックス画像Ｐ１０２を、順番的に１つ前のインデックス画像貼付領域Ｆ１に対して移動させるようにして貼り付け表示を行うようにされ、これに伴って、インデックス画像貼付領域Ｆ２には、貼り付けられた画像は存在しない状態となる。これは、図６のスクロール手順（１）に対応する。
さらに、図１５（ｃ）の状態となって一定時間を経過したとされると、図１５（ｄ）に示すようにして、これまでインデックス画像貼付領域Ｆ３に表示させていたシーン内インデックス画像Ｐ１０３を、インデックス画像貼付領域Ｆ２に対して移動させるようにして貼り付け表示を行い、インデックス画像貼付領域Ｆ３については画像が非表示の状態とする。これは、図６のスクロール手順（２）に対応する。
以降、同様にして、一定時間が経過する毎に、図６のスクロール手順（３）以降を、順次、実行していくようにされる。このようにして、図６の手順を順次実行していき、スクロール手順（８）が実行されるまでに至った状態を、図１６（ａ）に示す。
図１６（ａ）においては、これまでにおいてスクロール手順（０）〜（８）が実行されたことにより、シーン内インデックス画像Ｐ１０１については消去された上で、図１５（ａ）ではインデックス画像貼付領域Ｆ２〜Ｆ９にて配置されていたシーン内インデックス画像Ｐ１０２〜Ｐ１０９が、全て１つ前のインデックス画像貼付領域Ｆ２〜Ｆ８に対して移動され、インデックス画像貼付領域Ｆ９については、画像が表示されていない状態となっている。
また、この図１６（ａ）に示す状態となってから待機時間が経過したとされると、図１６（ｂ）に示すようにして、図６のスクロール手順（９）に対応した表示となる。つまり、これまでインデックス画像貼付領域Ｆ１０に表示させていたシーン内インデックス画像Ｐ１１０が、インデックス画像貼付領域Ｆ９に対して移動され、インデックス画像貼付領域Ｆ１０においては、画像が表示されない状態となる。
またさらに、図１６（ｂ）に示す状態となってから待機時間を経過すると、図１６（ｃ）に示すようにして、画像が非表示状態であったインデックス画像貼付領域Ｆ１０に対して、シーン内インデックス画像Ｐ１１０に対して時系列的に次となるシーン内インデックス画像Ｐ１１１が新たに表示される。つまり、図６のスクロール手順（１０）が実行される。
【００９９】
そして、上記図１６（ｃ）の状態となってから待機時間が経過したとされると、再び、図１５（ｂ）に準じて、インデックス画像貼付領域Ｆ１に表示されているシーン内インデックス画像Ｐ１０２を消去し、ここからさらに一定時間が経過したのであれば、図１５（ｃ）に準じて、それまでインデックス画像貼付領域Ｆ２に表示されていたシーン内インデックス画像Ｐ１０３を、インデックス画像貼付領域Ｆ９に対して移動させる。つまり、図１６（ｃ）に示す状態に至った後は、再度、スクロール手順（０）〜（１０）までの動作を、待機時間が経過するごとに実行していくようにされ、このようなスクロール手順（０）〜（１０）の動作が一巡すれば、再度、同様してスクロール手順（０）〜（１０）の動作を繰り返していくようにされる。そして、このようなスクロールの動作を、例えば、インデックス画像貼付領域Ｆ１０に対して、最後のシーン内分割区間に対応するシーン内インデックス画像が貼り付け表示されるまで継続するようにされる。
【０１００】
例えば第１例の場合には、単位スクロールとしての動作である各シーン内インデックス画像の移動は、同時的かつ瞬時的に行われるようにして見える態様を採るものとされていた。例えば、選択シーン全体の内容がさほどの変化を見せないようなものである場合、シーン内インデックス画像としても、互いに似通った画像内容になりやすい。この場合において、第１例のようにして、単位スクロールによる画像内容の変更が瞬時的なものであると、ユーザは、シーン内インデックス画像が１つ前のインデックス画像貼付領域に移動していることが分かりづらくなることもあると考えられる。
これに対して、第２例の場合であれば、人の目には、シーン内インデックス画像としてのコマが、その配列順を遡っていくようにして順次的に移動していくようにされた動きが見えることになるので、スクロールが行われていることを明確に認知することができる。
また、第１例と比較すると、第２例によるシーン内インデックス画像の移動の動きは、より動画的に見えることにもなるので、視覚的面白みや娯楽性も、さらに高いものとなる。
【０１０１】
なお、第２例にあっては、図１５（ａ）に示した最初の一枚目となるシーン内インデックス領域ＡＲ２の表示内容を表示させるのにあたって、少なくとも２つのパターンを考えることができる。
１つには、以降のスクロール動作に準じて、インデックス画像貼付領域Ｆ１〜Ｆ１０に対して、シーン内インデックス画像Ｐ１０１〜Ｐ１１１を、待機時間の間隔をおいて、順次、貼り付けていくようにするものである。もう１つは、最初のシーン内インデックス画像Ｐ１０１〜Ｐ１１１に関しては、第１例に倣って、インデックス画像貼付領域Ｆ１〜Ｆ１０に対して、同時的に貼り付けて表示させるものである。
実際においては、前者と後者の何れが採用されてもよいのであるが、本実施の形態としては、視覚的面白みでは前者が有効であるとの考え方に基づき、前者を採用することとした。以降における第２例についての表示制御に関する説明も、前者による表示が行われることを前提とする。
【０１０２】
続いて、図１７及び図１８のフローチャートにより、第２例としての自動スクロールに対応した、フィルムロールインデックス画面の表示制御のための処理手順例について説明する。
先ず、図１７におけるステップＳ４０１〜Ｓ４１７の各手順における処理内容は、基本的には、先の第１例に対応する図１３のステップＳ２０１〜Ｓ２１７と同様となる。
但し、ステップＳ４１７としてのインデックス画像移動処理の内容は、図１８により説明するようにして、図１４により説明したステップＳ２１７としてのインデックス画像移動処理とは異なってくる。
また、ステップＳ４０５は、設定されたスクロール速度レベル値に基づいて、スクロール時間Ｔを設定し、これを保持する点では同様であるが、この場合のスクロール時間Ｔは、図１５及び図１６にて説明した、スクロール手順（０）〜スクロール手順（１０）を繰り返し実行する過程において、１つの手順を実行してから次の手順を実行するまでの待機時間に対応するものとなる。この点で、例えばスクロール速度レベルとスクロール時間Ｔとしての実時間との対応は、第１例と同じである必要はなく、むしろ、第２例に対応する待機時間に適合するようにして設定されるべきものとなる。
【０１０３】
そのうえで、図１７においては、ステップＳ４１６により変数ｎについてインクリメントを行った後のステップＳ４０７に戻る前の段階において、ステップＳ４１８、Ｓ４１９としての処理を挿入している。
ステップＳ４１８では、タイマに対してスクロール時間Ｔをタイマ時間として設定したうえで、このタイマに計時動作を開始させ、次のステップＳ４１９により、このタイマにより計時されるスクロール時間Ｔ（タイマ時間）が経過するのを待機するようにされている。タイマ時間が経過したことが判別されると、ステップＳ４０７に戻るようにされる。
【０１０４】
ステップＳ４１７としてのインデックス画像移動処理は、図１８に示される。
この図におけるステップＳ５０１〜５０５、Ｓ５０８、Ｓ５０９、Ｓ５１０の各処理内容は、それぞれ、図１４におけるステップＳ３０１〜Ｓ３０８と同様となる。そのうえで、図１８においては、ステップＳ５０５において否定の判別結果が得られた場合において、ステップＳ５０６及びステップＳ５０７の手順を実行してから、ステップＳ５０８、Ｓ５０９（図１３のステップＳ３０６，Ｓ３０７に相当）の手順を実行し、ステップＳ５０５に戻ることとしている。
ステップＳ５０６は、タイマに対してスクロール時間Ｔをタイマ時間として設定したうえで、このタイマに計時動作を開始させる。そして、次のステップＳ５０７により、タイマにより計時されるスクロール時間Ｔ（タイマ時間）が経過するのを待機し、タイマ時間が経過したのであれば、ステップＳ５０８に進むようにされる。
【０１０５】
上記図１７及び図１８に示される手順によっては、先ず、図１７にてステップＳ４１８、Ｓ４１９が挿入されたことで、フィルムロールインデックス画面表示開始時におけるシーン内インデックス画像の表示は、スクロール時間Ｔに対応する待機時間が経過するごとのタイミングで、インデックス画像貼付領域Ｆ１、Ｆ２、Ｆ３・・・Ｆ９、Ｆ１０の順で、シーン内インデックス画像Ｐ１０１〜Ｐ１１０が順次貼り付けられていくことになる。
また、図１８の手順によれば、先ず、ステップＳ５０１、Ｓ５０２によってはスクロール時間Ｔを待機することで、最後のステップＳ４１０によってインデックス画像貼付領域Ｆ１０に対してシーン内インデックス画像が貼り付け表示されてから、スクロール時間Ｔに対応する待機時間を経過したタイミングで、ステップＳ５０３による第１インデックス画像貼付領域Ｆ１に表示されていたサムネイル画像データが消去されるという、スクロール手順（０）としての表示内容の変化が生じることになる。そのうえでさらに、ステップＳ５０６、Ｓ５０７が挿入されていることで、その後において、１つ前のインデックス画像貼付領域へのサムネイル画像データ（シーン内インデックス画像）が移動する動作（ステップＳ５０８、Ｓ５０９：スクロール手順（１）〜スクロール手順（９）に相当）のそれぞれについても、スクロール時間Ｔに対応する待機時間を経過してから開始されることになる。
また、ステップＳ４１９を経てからステップＳ４０７〜Ｓ４１０の手順に戻るのにあたっても、先のステップＳ４１８、Ｓ４１９の手順を経ることで、スクロール手順（１０）に対応してインデックス画像貼付領域Ｆ１０に対して新たな次のシーン内インデックス画像が表示される動作も、直前のスクロール手順（９）に対応した表示が行われてから、スクロール時間Ｔに対応する待機時間を経過してから実行されることになる。
このようにして、図１７及び図１８の手順を実行することにより、フィルムロールインデックス画面表示において、第２例としての自動スクロールの表示が実現されることになる。
【０１０６】
続いては、本実施の形態の自動スクロールの第３例について説明する。
第３例の自動スクロールは、第１例と第２例とを複合させたような表示態様となる。
例えば、先ずは、インデックス画像貼付領域Ｆ１〜Ｆ１０に対してシーン内インデックス画像Ｐ１０１〜Ｐ１１０の貼り付けが完了した状態を、或る第１の待機時間により固定的に表示させる。そして、第１の待機時間が経過したとされると、単位スクロール（スクロール手順（０）〜スクロール手順（１０））を行うことで、インデックス画像貼付領域Ｆ１〜Ｆ９に対してシーン内インデックス画像Ｐ１０２〜Ｐ１１０が移動され、インデックス画像貼付領域Ｆ１０には新たにシーン内インデックス画像Ｐ１１１が表示された状態に変更するのであるが、この単位スクロールの際に、上記第２の待機時間ごとに、手順（０）〜（１０）が実行され、これに対応した表示の変化が得られるようにする。そして、この単位スクロールが完了したら、再び第１の待機時間を待機し、この後に再度、上記第２の待機時間ごとのタイミングでスクロール手順（０）〜（１０）が実行される単位スクロールを行う。このようなシーケンスを繰り返すものである。
【０１０７】
例えば、第２の待機時間について、スクロール手順（０）〜（１０）に対応した表示の変化が人にとって認識できる程度とされたうえで、第１の待機時間よりは短い時間を設定したとする。
すると、自動スクロールの動作としては、先ず、第１の待機時間に対応する比較的長い時間にわたって、全てのシーン内インデックス画像が配列されたシーン内インデックス領域ＡＲ２が固定的に表示される。そして、この後においては、第２の待機時間に対応する短い時間によるタイミングで、単位スクロールとしてのシーン内インデックス画像が順次移動する表示が行われ、これが完了すると、再び全てのシーン内インデックス画像が配列されたシーン内インデックス領域ＡＲ２が固定的に表示される。このような表示が繰り返されることになる。
【０１０８】
例えば第２例の自動スクロールは、シーン内インデックス領域ＡＲ２において、常にどこかのインデックス画像が移動しているように見えるが、このような見え方は、スクロール時間の設定にも依るが、例えば決して見やすいとはいえないと感じるユーザもいることが考えられる。第３例による自動スクロールの動きであれば、シーン内インデックス領域ＡＲ２において全てのシーン内インデックス画像が固定して表示される期間があるので、上記のようにしてせわしさなどを感じることはなくなる。また、単位スクロールについては、比較的高速ではあるがシーン内インデックス画像が移動して動く様を見ることになるので、スクロールが行われたことは確実に認知できることになる。
【０１０９】
続いて、図１９及び図２０のフローチャートにより、第３例としての自動スクロールに対応した、フィルムロールインデックス画面の表示制御のための処理手順例について説明する。
先ず、図１９におけるステップＳ６０１〜Ｓ６１７の各手順における処理内容は、基本的には、先の第１例に対応する図１３のステップＳ２０１〜Ｓ２１７と同様となる。
但し、上記したように、第３例にあっては、自動スクロールに関する待機時間として、第１の待機時間と第２の待機時間との２つを使い分けるようにされる。そこで、この場合のステップＳ６０５においては、例えば図９、図１０により説明したようにして設定された１つのスクロール速度レベル値に基づいて、第１の待機時間に対応する第１のスクロール時間Ｔ１と、第２の待機時間に対応する第２のスクロール時間Ｔ２とを設定し、これらを保持するようにされる。なお、第３例に対応する場合には、スクロール速度レベルの設定に関するＧＵＩとして、第１のスクロール時間Ｔ１と第２のスクロール時間Ｔ２に対応する２つのレベル値を個別に設定できるように構成してもよい。
また、ステップＳ６１７としてのインデックス画像移動処理の内容も、次に図２０により説明するようにして、図１４、図１８により説明したステップＳ２１７、Ｓ４１７としてのインデックス画像移動処理とは異なってくるものである。
【０１１０】
ステップＳ６１７としてのインデックス画像移動処理は、図２０に示される。
この図に示す処理としては、先ず、ステップＳ７０１により、先に図１９のステップＳ６０５にて設定、保持された第１スクロール時間Ｔ１と第２スクロール時間Ｔ２のうち、第１スクロール時間Ｔ１をタイマに対してタイマ時間として設定して、その計時動作を開始させ、ステップＳ７０２により、タイマ時間である第１スクロール時間Ｔ１が経過するのを待機する。そして、第１スクロール時間Ｔ１が経過したとされると、ステップＳ７０３、Ｓ７０４の手順を実行する。
【０１１１】
ステップＳ７０３は、図１４のステップＳ３０３（図１８のステップＳ５０３）と同様にして、第１インデックス画像貼付領域Ｆ１にて貼り付けられていたサムネイル画像データを消去する処理であり、ステップＳ７０４は、図１４のステップＳ３０４（図１８のステップＳ５０４）と同様に、変数ｎに２を代入する処理である。
【０１１２】
ステップＳ７０５では、図１４のステップＳ３０５（図１８のステップＳ５０５）と同様に、変数ｎが最大値に至ったか否かについての判別を行うものであるが、否定の判別結果が得られた場合には、ステップＳ７０６に進む。
ステップＳ７０６では、図１９のステップＳ６０５にて設定、保持された第１スクロール時間Ｔ１と第２スクロール時間Ｔ２のうち、第２スクロール時間Ｔ２をタイマに対してタイマ時間として設定して、その計時動作を開始させ、ステップＳ７０７により、タイマ時間である第２スクロール時間Ｔ１が経過するのを待機する。そして、第２スクロール時間Ｔ２が経過したとされると、ステップＳ７０８、Ｓ７０９の手順を実行する。
【０１１３】
ステップＳ７０８は、図１４のステップＳ３０６（図１８のステップＳ５０８）と同様に、これまで第ｎインデックス画像貼付領域Ｆｎにて貼り付けられていたサムネイル画像データを、第ｎ−１インデックス画像貼付領域Ｆｎ−１に対して移動させる表示制御処理であり、
ステップＳ７０９は、図１４のステップＳ３０７（図１８のステップＳ５０９）と同様に、変数ｎをインクリメントしてステップＳ７０５（図１４のステップＳ３０５、図１８のステップＳ５０５）に戻る処理である。
【０１１４】
また、この場合においては、ステップＳ７０５にて肯定の判別結果が得られた場合には、ステップＳ７１０及びステップＳ７１１、さらにステップＳ７１２を実行してから、図１９のステップＳ６０７に戻るようにされる。
ステップＳ７１０、ステップＳ７１１は、ステップＳ７０６、Ｓ７０７と同様にして、タイマに対してタイマ時間として第２のスクロール時間Ｔ２を設定して計時を開始させ、このタイマ時間である第２のスクロール時間Ｔ２を待機する処理である。そして、第２のスクロール時間Ｔ２の待機後に実行するステップＳ７１２は、図１４のステップＳ３０８（図１８のステップＳ５１０）と同様にして、最大値＋１としての値となっている変数ｎをデクリメントして、最大値とするための処理である。
【０１１５】
上記した手順によっては、先ず、図１９のステップＳ６０５により、第１の待機時間に対応する第１スクロール時間Ｔ１と、第２の待機時間に対応する第２のスクロール時間Ｔ２とを設定、保持するようにされている。
そして、図２０のステップＳ７０１、Ｓ７０２により、第１の待機時間に対応する第１スクロール時間Ｔ１を待機してから、ステップＳ７０３としてのスクロール手順（０）に対応する動作を実行するようにされている。これにより、先に述べたようにして、先ずは、シーン内インデックス領域を第１の待機時間だけ固定的に表示させてから、単位スクロールが開始されるという動作を得ることができる。
また、同じ図２０のステップＳ７０６、Ｓ７０７により、第２の待機時間に対応する第２スクロール時間Ｔ２を待機してから、ステップＳ７０８を実行するようにされている。これにより、スクロール手順（１）〜（９）のそれぞれに対応してシーン内インデックス画像が１つ前のインデックス画像貼付領域に移動する表示も、第２の待機時間に対応した時間間隔により順次行われることになる。
さらに、同じ図２０のステップＳ７１０、Ｓ７１１によっても、第２スクロール時間Ｔ２を待機してから、図１９のステップＳ６０７に戻るようにされている。これにより、ステップＳ６０７〜Ｓ６１０により行われる、スクロール手順（１０）に対応した、インデックス画像貼付領域Ｆ１０に新たなシーン内インデックス画像が貼り付けられる表示も、直前に行われスクロール手順（９）に対応した表示が行われてから、第２の待機時間を経過したタイミングで行われるものとなる。
以上のようにして、図１９及び図２０の手順が行われることで、フィルムロールインデックス画面表示において第３例としての自動スクロールの表示が実現される。
【０１１６】
なお、これまでに示した図１０、図１３、図１４、図１７〜図２０のフローチャートとして示される手順は、マイクロプロセッサ１７において、例えばＣＰＵが、ＲＯＭ或いは不揮発性メモリなどに記憶されるプログラムを、直接に、又は主記憶装置上で一旦展開した上で実行することで実現されるものとしてみることができる。また、このプログラムは、上記のようにして、例えばＲＯＭなどに対して製造時などに書き込んで記憶させるほか、リムーバブルの記憶媒体に記憶させておいたうえで、この記憶媒体からインストール(アップデートも含む)させるようにしてマイクロプロセッサ１７内の不揮発性の記憶領域に記憶させることが考えられる。また、ＵＳＢやＩＥＥＥ１３９４などのデータインターフェイス経由により、他のホストとなる機器からの制御によってプログラムのインストールを行えるようにすることも考えられる。さらに、ネットワーク上のサーバなどにおける記憶装置に記憶させておいたうえで、ビデオカメラ装置１にネットワーク機能を持たせることとし、サーバからダウンロードして取得できるように構成することも考えられる。
【０１１７】
また、実施の形態による自動スクロールは、フィルムロールインデックス画面の表示開始と共に自動実行され、シーン最終に対応するシーン内インデックス画像が表示されるまで継続されることとしているが、自動スクロールの終了、及び開始を、ユーザ操作によってコントロールできるようにすることが考えられ、また、このような機能を与えることが、実際においては、好ましいと考えられる。
【０１１８】
また、これまでの説明では、第１例から第３例の何れの自動スクロールにあっても、スクロールが行われる方向は、選択シーンにおける先頭側から終端となる送り方向としている。実際においても、この送り方向へのスクロール動作とすることが順当であるが、本願発明の概念の下では、シーンにおける終端側から先頭側への戻り方向への自動スクロールを行うこととした場合に適用することについて何ら問題はない。戻り方向の単位スクロールの動作は、実施の形態との対応では、図６に示した矢印とは逆の方向にシーン内インデックス画像を移動配置させると共に、これまでインデックス画像貼付領域Ｆ１０に表示されていたインデックス画像については消去し、インデックス画像貼付領域Ｆ１には、インデックス画像貼付領域Ｆ２に移動配置されたシーン内インデックス画像に対して時系列的に１つ前となるシーン内インデックス画像を新たに表示させるものとなる。
【０１１９】
また、上記実施の形態では、自動スクロールの態様として第１例〜第３例の３例を挙げているが、ビデオカメラ装置１の実際としては、第１例〜第３例のうちの何れか１つの自動スクロール機能を実装することとしてもよいし、２以上の自動スクロール機能を実装して、例えばユーザ設定操作などに応じて、動作させる自動スクロール機能を選択可能なように構成してもよい。
【０１２０】
また、上記実施の形態では、自動スクロールの態様として第１例〜第３例までの３例を挙げたが、これら３例以外の態様も考えることができる。
例えば１つには、第１例〜第３例にあっては、単位スクロールにより、シーン内インデックス画像が、インデックス画像貼付領域の１個分だけ移動するようにされている。つまり、本願発明における変数ｍについてはｍ＝１としている。しかし、この変数ｍについて２以上となるような単位スクロールが行われるようにされてもよい。
【０１２１】
また、本願発明にあっては、先ず、シーン内インデックス領域ＡＲ２において、所定の抽出時間間隔によりビデオコンテンツのストリームから抜き出したものとされるシーン内インデックス画像が配列表示される態様を採る限り、フィルムロールインデックス画面における表示態様等の変更は適宜行われてよいものとされる。また、上記実施の形態にあっては、設定された抽出時間間隔Ｔｍにより表される等間隔で以て、シーン内インデックス画像を抜き出すこととしているのであるが、所定の条件に従って、この抽出時間間隔が可変されるようにしても構わない。
【０１２２】
また、本願発明にあっては、インデックス画像（サムネイル画像）を配列させた状態の下で、予め定めた所定の順序により、動画として表示させるインデックス画像を順次変更していくようにされた表示態様が採られる限り、インデックス画像が代表するものとされる単位データについては特に限定されない。実施の形態では、この単位データは、動画としての１シーンを分割して得られるシーン内分割区間であることとされているが、例えばシーン単位であってもよい。また、単位データが静止画データである場合も考えることができる。さらには、単位データが画像データ以外の文書ファイルなどとされ、代表画像データは、対応する文書ファイルごとに異なる絵柄などの態様を有するアイコンのような画像とするようなことも考えられる。
【０１２３】
また、ビデオコンテンツデータについての記憶管理の態様、及びビデオコンテンツデータの形式、構造は、図１１及び図１２により説明したもの以外にも各種考えられるものであり、これに伴って、例えば図１３、図１７、図１９に示される、Ｉピクチャへのアクセス制御などに関する処理の実際は、適宜変更されるべきものである。
【０１２４】
また、実施の形態では、本願発明の構成をビデオカメラ装置に適用しているが、これ以外にも、例えば動画撮影機能を有するようにされたデジタルスチルカメラ、携帯電話などをはじめ、他の電子機器に対しても適用が可能である。
【図面の簡単な説明】
【０１２５】
【図１】本発明の実施の形態としてのビデオカメラ装置の構成例を示すブロック図である。
【図２】本実施の形態のビデオカメラ装置における一覧・検索画面の表示に関連した操作に応じて表示画面部に表示される画像の内容例を示す図である。
【図３】実施の形態に対応するフィルムロールインデックス画面の表示内容例を示す図である。
【図４】シーン内インデックス画像についての抽出処理を説明するための図である。
【図５】第１例としての自動スクロールにより得られる表示態様の遷移例を示す図である。
【図６】シーン内インデックス画像についての送り方向へのスクロールを行う場合の規則を模式的に示す図である。
【図７】フィルムロールインデックス画面を基点とする、関連メニュー画面、抽出時間間隔設定画面、スクロール速度レベル設定画面との間での遷移例を示す図である。
【図８】抽出時間間隔設定画面の表示態様例を示す図である。
【図９】スクロール速度レベル設定画面の表示態様例を示す図である。
【図１０】クロール速度レベル設定画面に対して行われた操作に応じた処理手順例を示すフローチャートである。
【図１１】実施の形態が対応するビデオコンテンツの管理態様例を説明するための図である。
【図１２】実施の形態が対応するビデオコンテンツの構造例を説明するための図である。
【図１３】第１例の自動スクロールに対応した、フィルムロールインデックス画面表示のための処理手順例を示すフローチャートである。
【図１４】図１３におけるインデックス画像移動処理についての処理手順例を示すフローチャートである。
【図１５】第２例としての自動スクロールにより得られる表示態様の遷移例を示す図である。
【図１６】第２例としての自動スクロールにより得られる表示態様の遷移例を示す図である。
【図１７】第２例の自動スクロールに対応した、フィルムロールインデックス画面表示のための処理手順例を示すフローチャートである。
【図１８】図１７におけるインデックス画像移動処理についての処理手順例を示すフローチャートである。
【図１９】第３例の自動スクロールに対応した、フィルムロールインデックス画面表示のための処理手順例を示すフローチャートである。
【図２０】図１９におけるインデックス画像移動処理についての処理手順例を示すフローチャートである。
【符号の説明】
【０１２６】
１  ビデオカメラ装置、１１  光学系部、１２  撮像部、１３  カメラ制御部、１４  カメラ信号処理部、１５  記録再生処理回路、１６  ＨＤＤ、１７  マイクロプロセッサ、１８  ＯＳＤ処理部、１９  重畳処理部、２０  表示部、２０Ａ  表示画面部、２１  ハードウェア操作部、２１Ａ  タッチパネル部、２１ａ  ホームキー、２１ｂ  フィルムロールキー、ＡＲ１  シーン単位インデックス領域、ＡＲ２  シーン内インデックス領域、Ｂｒ２  スクロールバー、ＮＢ  ノブ、Ｆ１〜Ｆ１０  インデックス画像貼付領域、Ｐ１０１〜Ｐ１１１  シーン内インデックス画像
【図１】
2009047721.tif 000003
【図２】
2009047721.tif 000004
【図３】
2009047721.tif 000005
【図４】
2009047721.tif 000006
【図５】
2009047721.tif 000007
【図６】
2009047721.tif 000008
【図７】
2009047721.tif 000009
【図８】
2009047721.tif 000010
【図９】
2009047721.tif 000011
【図１０】
2009047721.tif 000012
【図１１】
2009047721.tif 000013
【図１２】
2009047721.tif 000014
【図１３】
2009047721.tif 000015
【図１４】
2009047721.tif 000016
【図１５】
2009047721.tif 000017
【図１６】
2009047721.tif 000018
【図１７】
2009047721.tif 000019
【図１８】
2009047721.tif 000020
【図１９】
2009047721.tif 000021
【図２０】
2009047721.tif 000022